(57)【要約】【課題】ハードウェアを追加することなしに、チャンネル情報記憶部のチャンネル情報を更新するためのスキャンに要する時間を短縮できるデジタル放送受信装置及びデジタル放送受信方法を提供する。【解決手段】チャンネル情報記憶部のチャンネル情報を更新する際、物理チャンネルがチャンネル情報記憶部に記憶されているか否かを判断し、チャンネル情報記憶部に記憶されていない物理チャンネルについては、ストリーム処理部により番組特定情報及び番組配列情報の少なくとも一方を抽出し、抽出した情報を元に前記チャンネル情報記憶部のチャンネル情報を更新する。チャンネル情報記憶部に記憶されている物理チャンネルについては、ストリーム処理部による抽出処理は行わない。これにより、チャンネル情報記憶部のチャンネル情報の更新のためのスキャンに要する時間を短縮する。【選択図】図６
2011049748.tif 000002
【特許請求の範囲】
【請求項１】
物理チャンネルを選択し、選択した物理チャンネルで送信されるデジタル放送のストリームを取得するチューナ部と、
前記チューナ部で取得されるデジタル放送のストリームに含まれる番組特定情報及び番組配列情報を抽出し、前記チューナ部で取得されるデジタル放送のストリームに含まれる映像ストリーム及び音声ストリームを復号し映像信号及び音声信号を取得するストリーム処理部と、
前記ストリーム処理部より取得される映像信号及び音声信号を出力する映像音声出力部と、
デジタル放送を選局するために必要なチャンネル情報を記憶するチャンネル情報記憶部と、
前記チューナ部に対して、選択すべき物理チャンネルを指示し、前記ストリーム処理部に対して、抽出すべき番組特定情報及び番組配列情報を指示し、前記チャンネル情報記憶部よりチャンネル情報を取得し、前記チャンネル情報記憶部のチャンネル情報を更新する選局制御部と、
物理チャンネルが前記チャンネル情報記憶部に記憶されているか否かを判断する物理チャンネル記憶判断部と
を備え、
前記選局制御部は、
前記物理チャンネル記憶判断部が前記チャンネル情報記憶部に記憶されていないと判断した物理チャンネルについては、その物理チャンネルを前記チューナ部で選択した状態で前記ストリーム処理部により番組特定情報及び番組配列情報の少なくとも一方を抽出する抽出処理を行うことにより、抽出した情報を元に前記チャンネル情報記憶部のチャンネル情報を更新し、前記物理チャンネル記憶判断部が前記チャンネル情報記憶部に記憶されていると判断した物理チャンネルについては、前記ストリーム処理部による前記抽出処理を行わないこと
を特徴とするデジタル放送受信装置。
【請求項２】
前記チューナ部は、選択した物理チャンネルの受信強度を前記選局制御部に通知し、
前記選局制御部は、前記チューナ部で物理チャンネルを選択した状態で受信強度が閾値未満の場合、前記ストリーム処理部による前記抽出処理を行わないことを特徴とする請求項１に記載のデジタル放送受信装置。
【請求項３】
前記チューナ部は、選択した物理チャンネルの受信強度を前記選局制御部に通知し、
前記選局制御部は、前記チューナ部で物理チャンネルを選択したときの受信強度の履歴を保存し、前記受信強度の履歴より受信強度スコアを算出し、前記受信強度スコアが所定の条件を満たさない物理チャンネルについては、前記ストリーム処理部による前記抽出処理を行わないことを特徴とする請求項１又は２に記載のデジタル放送受信装置。
【請求項４】
前記選局制御部は、前記チャンネル情報記憶部のチャンネル情報を更新する際、前記受信強度スコアに応じて、前記チューナ部により物理チャンネルを選択する頻度に差を付けることを特徴とする請求項３に記載のデジタル放送受信装置。
【請求項５】
前記チューナ部は、選択した物理チャンネルのフレームロック情報を取得し、前記選局制御部に通知し、
前記選局制御部は、フレームロックが検出されない物理チャンネルについては、前記ストリーム処理部による前記抽出処理を行わないことを特徴とする請求項１から４までのいずれか１項に記載のデジタル放送受信装置。
【請求項６】
前記チューナ部は、選択した物理チャンネルの受信強度を前記選局制御部に通知し、また、選択した物理チャンネルのフレームロック情報を取得して前記選局制御部に通知し、
前記選局制御部は、
前記チューナ部から通知された受信強度が閾値未満で、かつフレームロック情報が検出されなかった物理チャンネルについて、受信不可の回数を示すカウント数を増加させ、前記カウント数が閾値を超えた場合に、当該物理チャンネルのチャンネル情報を前記チャンネル情報記憶部から削除することを特徴とする請求項１から５までのいずれか１項に記載のデジタル放送受信装置。
【請求項７】
位置情報を取得する位置情報取得部をさらに備え、
前記選局制御部は、
スキャンを開始するときに、前記位置情報取得部により位置情報を取得し、
選択した物理チャンネルが前記チャンネル情報記憶部に記憶されている場合であっても、前回のスキャンを開始したときの位置と今回のスキャンを開始したときの位置との差が閾値以上の場合には、その物理チャンネルを前記チューナ部で選択した状態で前記ストリーム処理部により前記抽出処理を行い、前記チャンネル情報記憶部のチャンネル情報を更新することを特徴とする請求項１から６までのいずれか１項に記載のデジタル放送受信装置。
【請求項８】
位置情報を取得する位置情報取得部をさらに備え、
前記選局制御部は、
物理チャンネルを選択する毎に、前記位置情報取得部により位置情報を取得し、
物理チャンネルが前記チャンネル情報記憶部に記憶されている場合であっても、当該物理チャンネルを選択したときに取得した位置情報と前回のスキャンで同一の物理チャンネルを選択したときの位置との差が閾値以上の場合には、その物理チャンネルを前記チューナ部で選択した状態で前記ストリーム処理部により前記抽出処理を行い、前記チャンネル情報記憶部のチャンネル情報を更新することを特徴とする請求項１から６までのいずれか１項に記載のデジタル放送受信装置。
【請求項９】
車両の走行距離を計測する走行距離計をさらに備え、
前記選局制御部は、
スキャンを開始するときに、前記走行距離計により走行距離を取得し、
選択した物理チャンネルが前記チャンネル情報記憶部に記憶されている場合であっても、前回のスキャンを開始したときの走行距離と今回のスキャンを開始したときの走行距離との差が閾値以上の場合には、その物理チャンネルを前記チューナ部で選択した状態で前記ストリーム処理部により前記抽出処理を行い、前記チャンネル情報記憶部のチャンネル情報を更新することを特徴とする請求項１から６までのいずれか１項に記載のデジタル放送受信装置。
【請求項１０】
時刻を管理する時刻管理部をさらに備え、
前記選局制御部は、
物理チャンネルを選択する毎に、前記時刻管理部により時刻情報を取得し、
選択した物理チャンネルが前記チャンネル情報記憶部に記憶されている場合であっても、当該物理チャンネルを選択したときの時刻と前回のスキャンで同一の物理チャンネルを選択したときの時刻との差が閾値以上の場合には、その選択した物理チャンネルを前記チューナ部で選択した状態で前記ストリーム処理部により前記抽出処理を行い、前記チャンネル情報記憶部のチャンネル情報を更新することを特徴とする請求項１から６までのいずれか１項に記載のデジタル放送受信装置。
【請求項１１】
時刻を管理する時刻管理部をさらに備え、
前記選局制御部は、
スキャンを開始するときに、前記時刻管理部により時刻情報を取得し、
選択した物理チャンネルが前記チャンネル情報記憶部に記憶されている場合であっても、前回のスキャンを開始したときの時刻と今回のスキャンを開始したときの時刻との差が閾値以上の場合には、その物理チャンネルを前記チューナで選択した状態で前記ストリーム処理部により前記抽出処理を行い、前記チャンネル情報記憶部のチャンネル情報を更新することを特徴とする請求項１から６までのいずれか１項に記載のデジタル放送受信装置。
【請求項１２】
現在の時刻を管理する時刻管理部をさらに備え、
前記選局制御部は、
物理チャンネルを選択する毎に時刻情報を取得し、
選択した物理チャンネルが前記チャンネル情報記憶部に記憶されている場合であっても、物理チャンネルを選択したときの時刻と前回のスキャンで同一の物理チャンネルを選択したときの時刻との差が閾値以上の場合に、その物理チャンネルを前記チューナ部で選択した状態で前記ストリーム処理部により前記抽出処理を行い、前記チャンネル情報記憶部のチャンネル情報を更新することを特徴とする請求項１から６までのいずれか１項に記載のデジタル放送受信装置。
【請求項１３】
前記チューナ部を、第１のチューナ部とすると共に、
物理チャンネルを選択し、選択した物理チャンネルで送信されるデジタル放送のストリームを取得する第２のチューナ部と、前記第２のチューナ部で取得されるデジタル放送のストリームに含まれる番組特定情報及び番組配列情報を抽出するデマルチプレクス部とをさらに備え、
前記選局制御部は、前記第２のチューナ部及び前記でマルチプレクス部及び前記映像音声出力部を用いてデジタル放送の映像及び音声を出力しながら、前記第１のチューナ部及び前記ストリーム処理部を用いて前記チャンネル情報記憶部のチャンネル情報の更新を行うことを特徴とする請求項１から１２までのいずれか１項に記載のデジタル放送受信装置。
【請求項１４】
物理チャンネルを選択し、選択した物理チャンネルで送信されるデジタル放送のストリームを取得するチューナ部と、
前記チューナ部で取得されるデジタル放送のストリームに含まれる番組特定情報及び番組配列情報を抽出し、前記チューナ部で取得されるデジタル放送のストリームに含まれる映像ストリーム及び音声ストリームを復号し映像信号及び音声信号を取得するストリーム処理部と、
前記ストリーム処理部より取得される映像信号及び音声信号を出力する映像音声出力部と、
デジタル放送を選局するために必要なチャンネル情報を記憶するチャンネル情報記憶部と、
前記チューナ部に対して、選択すべき物理チャンネルを指示し、前記ストリーム処理部に対して、抽出すべき番組特定情報及び番組配列情報を指示し、前記チャンネル情報記憶部よりチャンネル情報を取得し、前記チャンネル情報記憶部のチャンネル情報を更新する選局制御部と
を用いるデジタル放送受信方法であって、
物理チャンネルが前記チャンネル情報記憶部に記憶されているか否かを判断する物理チャンネル記憶判断ステップと
前記物理チャンネル記憶判断ステップにおいて前記チャンネル情報記憶部に記憶されていないと判断した物理チャンネルについては、その物理チャンネルを前記チューナ部で選択した状態で前記ストリーム処理部により番組特定情報及び番組配列情報の少なくとも一方を抽出する抽出処理を行うことにより、抽出した情報を元に、前記チャンネル情報記憶部のチャンネル情報を更新し、前記チャンネル情報記憶部に記憶されていると判断した物理チャンネルについては、前記ストリーム処理部による前記抽出処理を行わない、チャンネル情報更新ステップと
を有することを特徴とするデジタル放送受信方法。
【請求項１５】
前記チューナ部は、選択した物理チャンネルの受信強度を前記選局制御部に通知し、
前記チャンネル情報更新ステップでは、前記チューナ部で物理チャンネルを選択した状態で受信強度が閾値未満の場合、前記ストリーム処理部による前記抽出処理を行わないことを特徴とする請求項１４に記載のデジタル放送受信方法。
【請求項１６】
前記チューナ部は、選択した物理チャンネルの受信強度を前記選局制御部に通知し、
前記チャンネル情報更新ステップでは、前記チューナ部で物理チャンネルを選択したときの受信強度の履歴を保存し、前記受信強度の履歴より受信強度スコアを算出し、前記受信強度スコアが所定の条件を満たさない物理チャンネルについては、前記ストリーム処理部による前記抽出処理を行わないことを特徴とする請求項１４又は１５に記載のデジタル放送受信方法。
【請求項１７】
前記チャンネル情報更新ステップでは、前記受信強度スコアに応じて、前記チューナ部で物理チャンネルを選択する頻度に差を付けることを特徴とする請求項１６に記載のデジタル放送受信方法。
【請求項１８】
前記チューナ部は、選択した物理チャンネルのフレームロック情報を取得し、前記選局制御部に通知し、
前記チャンネル情報更新ステップでは、前記チューナ部でフレームロックが検出されない物理チャンネルについては、前記ストリーム処理部による前記抽出処理を行わないことを特徴とする請求項１４から１７までのいずれか１項に記載のデジタル放送受信方法。
【請求項１９】
前記チューナ部は、選択した物理チャンネルの受信強度を前記選局制御部に通知し、また、選択した物理チャンネルのフレームロック情報を取得して前記選局制御部に通知し、
前記チャンネル情報更新ステップでは、
選択した物理チャンネルの受信強度が閾値未満の場合、及びフレームロックを検出しなかった場合に、受信不可の回数を示すカウント数を増加させ、前記カウント数が閾値を超えた場合に、選択した物理チャンネルのチャンネル情報をチャンネル情報記憶部から削除することを特徴とする請求項１４から１８までのいずれか１項に記載のデジタル放送受信方法。
【請求項２０】
位置情報を取得する位置情報取得部を用い、
前記チャンネル情報更新ステップでは、
スキャンを開始するときに、前記位置情報取得部により位置情報を取得し、
前記チャンネル情報更新ステップでは、選択した物理チャンネルが前記チャンネル情報記憶部に記憶されている場合であっても、前回のスキャンを開始したときの位置情報と今回のスキャンを開始したときの位置情報との差が閾値以上の場合には、その物理チャンネルを前記チューナ部で選択した状態で前記ストリーム処理部により前記抽出処理を行い、前記チャンネル情報を更新することを特徴とする請求項１４から１９までのいずれか１項に記載のデジタル放送受信方法。
【請求項２１】
位置情報を取得する位置情報取得部を用い、
前記チャンネル情報更新ステップでは、
前記チューナ部で物理チャンネルを選択する毎に、前記位置情報取得部により位置情報を取得し、
前記チャンネル情報更新ステップでは、選択した物理チャンネルが前記チャンネル情報記憶部に記憶されている場合であっても、当該物理チャンネルを選択したときに取得した位置情報と、前回のスキャンで同一の物理チャンネルを選択したときの位置情報との差が閾値以上の場合には、その物理チャンネルを前記チューナ部で選択した状態で前記ストリーム処理部により前記抽出処理を行い、前記チャンネル情報記憶部のチャンネル情報を更新することを特徴とする請求項１４から１９までのいずれか１項に記載のデジタル放送受信方法。
【請求項２２】
車両の走行距離を計測する走行距離計を用い、
前記チャンネル情報更新ステップでは、
スキャンを開始するときに、前記走行距離計により走行距離を取得し、
選択した物理チャンネルが前記チャンネル情報記憶部に記憶されている場合であっても、前回のスキャンを開始したときの走行距離と今回のスキャンを開始したときの走行距離との差が閾値以上の場合には、その物理チャンネルを前記チューナ部で選択した状態で前記ストリーム処理部により前記抽出処理を行い、前記チャンネル情報記憶部のチャンネル情報を更新することを特徴とする請求項１４から１９までのいずれか１項に記載のデジタル放送受信方法。
【請求項２３】
時刻を管理する時刻管理部を用い、
前記チャンネル情報更新ステップでは、物理チャンネルを選択する毎に、前記時刻管理部により時刻情報を取得し、
選択した物理チャンネルが前記チャンネル情報記憶部に記憶されている場合であっても、物理チャンネルを選択したときの時刻と前回のスキャンで同一の物理チャンネルを選択したときの時刻との差が閾値以上の場合には、その選択した物理チャンネルを前記チューナ部で選択した状態で前記ストリーム処理部により前記抽出処理を行い、前記チャンネル情報記憶部のチャンネル情報を更新することを特徴とする請求項１４から１９までのいずれか１項に記載のデジタル放送受信方法。
【請求項２４】
時刻を管理する時刻管理部を用い、
前記チャンネル情報更新ステップでは、スキャンを開始するときに、前記時刻管理部により時刻情報を取得し、
選択した物理チャンネルが前記チャンネル情報記憶部に記憶されている場合であっても、前回のスキャンを開始したときの時刻と、今回のスキャンを開始したときの時刻との差が閾値以上の場合に、その物理チャンネルを前記チューナ部で選択した状態で前記ストリーム処理部により前記抽出処理を行い、前記チャンネル情報記憶部のチャンネル情報を更新することを特徴とする請求項１４から１９までのいずれか１項に記載のデジタル放送受信方法。
【請求項２５】
時刻を管理する時刻管理部を用い、
前記チャンネル情報更新ステップでは、前記チューナ部で物理チャンネルを選択する毎に時刻情報を取得し、
選択した物理チャンネルが前記チャンネル情報記憶部に記憶されている場合であっても、物理チャンネルを選択したときに取得した時刻と、前回のスキャンで同一の物理チャンネルを選択したときの時刻との差が閾値以上の場合には、その物理チャンネルを前記チューナ部で選択した状態で前記ストリーム処理部により前記抽出処理を行い、前記チャンネル情報記憶部のチャンネル情報を更新することを特徴とする請求項１４から１９までのいずれか１項に記載のデジタル放送受信方法。
【請求項２６】
前記チューナ部を、第１のチューナ部とすると共に、
物理チャンネルを選択し、選択した物理チャンネルで送信されるデジタル放送のストリームを取得する第２のチューナ部と、前記第２のチューナ部で取得されるデジタル放送のストリームに含まれる番組特定情報及び番組配列情報を抽出するデマルチプレクス部とをさらに用い、
前記第２のチューナ部及び前記でマルチプレクス部及び前記映像音声出力部を用いてデジタル放送の映像及び音声を出力しながら、前記第１のチューナ部及び前記ストリーム処理部を用いて前記チャンネル情報記憶部のチャンネル情報の更新を行うことを特徴とする請求項１４から２５までのいずれか１項に記載のデジタル放送受信方法。
【発明の詳細な説明】
【技術分野】
【０００１】
本発明は、デジタル放送受信装置及びデジタル放送受信方法に関し、より詳細には、車両または携帯端末装置などの移動体に搭載されるデジタル放送受信装置及びデジタル放送受信方法に関する。
【背景技術】
【０００２】
デジタル放送受信装置では、デジタル放送が送信されている可能性のある全ての物理チャンネルについてデジタル放送を受信できるか否かを判断し、デジタル放送を受信できる場合にはそのデジタル放送を選局するために必要なパラメータ（以下、「チャンネル情報」と称する。）を取得し、その情報を記憶部に記憶する。このようにチャンネル情報を取得する処理を「スキャン」と称する。ユーザから選局の指示を受けると、デジタル放送受信装置は、記憶しているチャンネル情報を元にデジタル放送を選局する。
【０００３】
移動体に搭載されたデジタル放送受信装置の場合、移動により受信状態が変化し、それまで受信できていたデジタル放送を受信できなくなる場合があり、また、逆に、それまで受信できなかったデジタル放送を受信できるようになる場合がある。このような場合には、再びスキャンを実行し、受信できるデジタル放送のチャンネル情報を取得し直し、記憶部に記憶したチャンネル情報を更新する必要がある。しかしながら、全ての物理チャンネルでスキャンを実行するには長時間を要する。
【０００４】
特に、同時に受信することのできるデジタル放送の数が１つであるデジタル放送受信装置の場合、スキャンを実行している間、ユーザはデジタル放送を視聴することができないため、スキャンの実行に要する時間が長くなると、ユーザがデジタル放送を視聴できない時間も長くなる。また、スキャンの実行に要する時間が長くなると、受信可能になったデジタル放送のチャンネル情報の追加、及び受信不能になったデジタル放送のチャンネル情報の削除が遅くなる可能性がある。
【０００５】
スキャンの実行に要する時間を短縮するための技術として、受信強度が閾値以上の物理チャンネルのみについてスキャンを実行するという技術が提案されている（例えば、特許文献１参照）。
【０００６】
特許文献１には、チューナを２つ搭載し、一方のチューナで全ての物理チャンネルの受信強度を検出し、受信強度が閾値以上の物理チャンネルのリストを作成し、前回作成したリストと今回作成したリストが一致する場合にはスキャンを実行せず、一致しない場合にはもう一方のチューナを用いて、今回作成したリストに存在する物理チャンネルのみについてスキャンを実行する地上デジタル放送受信機が開示されている。
【先行技術文献】
【特許文献】
【０００７】
【特許文献１】特開２００６−１３９４５号公報（図３）
【発明の概要】
【発明が解決しようとする課題】
【０００８】
しかしながら、特許文献１に開示されている地上デジタル放送受信機では、選局及びスキャンを実行するためのチューナとは別に、物理チャンネルの受信強度を検出するためのチューナを設ける必要がある。
【０００９】
また、受信強度が閾値以上の物理チャンネルのリストに変化があった場合、受信強度が閾値以上の物理チャンネル全てでスキャンが実行されるため、ある物理チャンネルの受信強度が変化すると、受信可能な状態が続いている他の物理チャンネルについてもスキャンが実行され、スキャンに要する時間が長くなる。
【００１０】
また、受信強度の検出時とスキャンの実行時とのタイムラグのため、スキャンを実行する時に受信強度が弱くなることも考えられる。このような場合には、チャンネル情報を取得できず、結果的に、スキャンに要する時間が長くなる。
【００１１】
本発明は、上記の課題を解決するためになされたものであり、ハードウェアを追加することなしに、チャンネル情報記憶部のチャンネル情報を更新するためのスキャンに要する時間を短縮できるデジタル放送受信装置及びデジタル放送受信方法を提供することを目的とする。
【課題を解決するための手段】
【００１２】
本発明に係るデジタル放送受信装置は、
物理チャンネルを選択し、選択した物理チャンネルで送信されるデジタル放送のストリームを取得するチューナ部と、
前記チューナ部で取得されるデジタル放送のストリームに含まれる番組特定情報及び番組配列情報を抽出し、前記チューナ部で取得されるデジタル放送のストリームに含まれる映像ストリーム及び音声ストリームを復号し映像信号及び音声信号を取得するストリーム処理部と、
前記ストリーム処理部より取得される映像信号及び音声信号を出力する映像音声出力部と、
デジタル放送を選局するために必要なチャンネル情報を記憶するチャンネル情報記憶部と、
前記チューナ部に対して、選択すべき物理チャンネルを指示し、前記ストリーム処理部に対して、抽出すべき番組特定情報及び番組配列情報を指示し、前記チャンネル情報記憶部よりチャンネル情報を取得し、前記チャンネル情報記憶部のチャンネル情報を更新する選局制御部と、
物理チャンネルが前記チャンネル情報記憶部に記憶されているか否かを判断する物理チャンネル記憶判断部と
を備え、
前記選局制御部は、
前記物理チャンネル記憶判断部が前記チャンネル情報記憶部に記憶されていないと判断した物理チャンネルについては、その物理チャンネルを前記チューナ部で選択した状態で前記ストリーム処理部により番組特定情報及び番組配列情報の少なくとも一方を抽出する抽出処理を行うことにより、抽出した情報を元に前記チャンネル情報記憶部のチャンネル情報を更新し、前記物理チャンネル記憶判断部が前記チャンネル情報記憶部に記憶されていると判断した物理チャンネルについては、前記ストリーム処理部による前記抽出処理を行わないこと
を特徴とする。
【発明の効果】
【００１３】
本発明に係るデジタル放送受信装置によれば、チャンネル情報記憶部のチャンネル情報を更新するためのスキャンを行う際、既にチャンネル情報記憶部に記憶されている物理チャンネルについてはストリーム処理部による抽出処理を行わないため、スキャンに要する時間を短縮することができる。
【図面の簡単な説明】
【００１４】
【図１】本発明の実施の形態１におけるデジタル放送受信装置の構成を示すブロック図である。
【図２】本発明の実施の形態１におけるデジタル放送受信装置のチャンネル情報記憶部１０７のデータ形式の一例を示す図である。
【図３】本発明の実施の形態１におけるデジタル放送受信装置の選局制御部１０６が実行する処理の全体を示すフローチャートである。
【図４】本発明の実施の形態１におけるデジタル放送受信装置の選局制御部１０６が実行する選局処理を示すフローチャートである。
【図５】本発明の実施の形態１におけるデジタル放送受信装置の選局制御部１０６が実行する選局停止処理を示すフローチャートである。
【図６】本発明の実施の形態１におけるデジタル放送受信装置の選局制御部１０６が実行するスキャンの処理を示すフローチャートである。
【図７】本発明の実施の形態２におけるデジタル放送受信装置の構成を示すブロック図である。
【図８】本発明の実施の形態２におけるデジタル放送受信装置の受信強度記憶部１０８のデータ形式の一例を示す図である。
【図９】本発明の実施の形態２におけるデジタル放送受信装置の選局制御部１０６が実行するスキャンの処理を示すフローチャートである。
【図１０】図９のステップＳ９０５及びステップＳ９０６での処理の一具体例を示すフローチャートである。
【図１１】本発明の実施の形態３におけるデジタル放送受信装置の選局制御部１０６が物理チャンネルのリストを取得する処理を示すフローチャートである。
【図１２】本発明の実施の形態４におけるデジタル放送受信装置の選局制御部１０６が実行するスキャンの処理を示すフローチャートである。
【図１３】本発明の実施の形態５におけるデジタル放送受信装置のチャンネル情報記憶部１０７のデータ形式の一例を示す図である。
【図１４】本発明の実施の形態５におけるデジタル放送受信装置の選局制御部１０６が実行するスキャンの処理を示すフローチャートである。
【図１５】本発明の実施の形態６におけるデジタル放送受信装置の構成を示すブロック図（Ａ）、及び、位置情報記憶部１１０のデータ形式の一例を示す図（Ｂ）である。
【図１６】本発明の実施の形態６におけるデジタル放送受信装置の選局制御部１０６が実行するスキャンの処理を示すフローチャートである。
【図１７】本発明の実施の形態７におけるデジタル放送受信装置の位置情報記憶部１１０のデータ形式の一例を示す図である。
【図１８】本発明の実施の形態７におけるデジタル放送受信装置の選局制御部１０６が実行するスキャンの処理を示すフローチャートである。
【図１９】本発明の実施の形態８におけるデジタル放送受信装置の構成を示すブロック図（Ａ）、及び、走行距離記憶部１１２のデータ形式の一例を示す図（Ｂ）である。
【図２０】本発明の実施の形態８におけるデジタル放送受信装置の選局制御部１０６が実行するスキャンの処理を示すフローチャートである。
【図２１】本発明の実施の形態９におけるデジタル放送受信装置の走行距離記憶部１１２のデータ形式の一例を示す図である。
【図２２】本発明の実施の形態９におけるデジタル放送受信装置の選局制御部１０６が実行するスキャンの処理を示すフローチャートである。
【図２３】本発明の実施の形態１０におけるデジタル放送受信装置の構成を示すブロック図（Ａ）、及び、時刻記憶部１１４のデータ形式の一例を示す図（Ｂ）である。
【図２４】本発明の実施の形態１０におけるデジタル放送受信装置の選局制御部１０６が実行するスキャンの処理を示すフローチャートである。
【図２５】本発明の実施の形態１１におけるデジタル放送受信装置の時刻記憶部１１４のデータ形式の一例を示す図である。
【図２６】本発明の実施の形態１１におけるデジタル放送受信装置の選局制御部１０６が実行するスキャンの処理を示すフローチャートである。
【図２７】本発明の実施の形態１２におけるデジタル放送受信装置の構成を示すブロック図である。
【図２８】本発明の実施の形態１２におけるデジタル放送受信装置の選局制御部１０６が第１の系統１１８及び共通部１１９に対して実行する処理を示すフローチャートである。
【図２９】本発明の実施の形態１２におけるデジタル放送受信装置の選局制御部１０６が共通部１１９及び第２の系統１２０に対して実行する処理を示すフローチャートである。
【発明を実施するための形態】
【００１５】
実施の形態１．
図１は、本発明の実施の形態１のデジタル放送受信装置の構成を示すブロック図である。実施の形態１のデジタル放送受信装置は、アンテナ部１０１と、チューナ部１０２と、ストリーム処理部１０３と、映像音声出力部１０４と、ユーザ指示受信部１０５と、選局制御部１０６と、チャンネル情報記憶部１０７と、不揮発性メモリ１００とを備えて構成される。
【００１６】
アンテナ部１０１は、放送局から送信されるデジタル放送信号を受信可能である。アンテナ部１０１によって受信されたデジタル放送信号は、チューナ部１０２に入力される。
【００１７】
チューナ部１０２は、アンテナ部１０１から入力されたデジタル放送信号から特定の物理チャンネルの信号を抽出し、その信号の復調及び誤り訂正を行い、トランスポートストリーム（Transport  Stream：ＴＳ）をストリーム処理部１０３に出力する。チューナ部１０２が、アンテナ部１０１から与えられるデジタル放送信号のうちのいずれの物理チャンネルの信号を抽出するかは、後述する選局制御部１０６によって制御される。
【００１８】
チューナ部１０２は、また、デジタル放送信号から抽出される物理チャンネルの受信強度を表す受信強度情報、受信Ｃ／Ｎ比（Carrier  to  Noise  ratio）情報、ＰＬＬ（Phase  Locked  Loop）ロック情報、フレームロック情報、及び誤り率情報の各種情報のうちの少なくともいずれか１つを出力し、選局制御部１０６に通知する。
【００１９】
ストリーム処理部１０３は、チューナ部１０２から入力されるＴＳから、番組特定情報（Program Specific Information：ＰＳＩ）及び番組配列情報（サービス情報：Service Information：ＳＩ）を抽出し、抽出したＰＳＩ及びＳＩを選局制御部１０６に通知する。ストリーム処理部１０３が、チューナ部１０２から入力されるＴＳに含まれるＰＳＩ及びＳＩのうち、どのＰＳＩ及びＳＩを抽出するかは、後述する選局制御部１０６によって制御される。
【００２０】
ストリーム処理部１０３は、また、チューナ部１０２から入力されるＴＳから、映像及び音声のストリームを抽出し、映像及び音声のストリームのデコードを行い、デコードした映像信号及び音声信号を映像音声出力部１０４に出力する。ストリーム処理部１０３が、チューナ部１０２から入力されるＴＳに含まれる映像及び音声ストリームのうち、どの映像及び音声ストリームをデコードするかは、後述する選局制御部１０６によって制御される。なお、ストリーム処理部１０３は、例えば、デマルチプレクス部と、映像・音声デコード部とを組み合わせた構成を有するものである。
【００２１】
映像音声出力部１０４は、ストリーム処理部１０３から入力される映像信号及び音声信号に基づいて、映像及び音声を出力する。また、映像音声出力部１０４はＧＵＩ（Graphic  User  Interface）を表示することもできる。映像音声出力部１０４が、映像及び音声を出力するか否か、及びＧＵＩを出力するか否かは、後述する選局制御部１０６によって制御される。
【００２２】
ユーザ指示受信部１０５は、ユーザからの指示を受信し、後述する選局制御部１０６に通知する。
【００２３】
選局制御部１０６は、ユーザ指示受信部１０５から通知されるユーザ指示を受信する。また、選局制御部１０６は、チューナ部１０２で選択する物理チャンネルを指示し、チューナ部１０２から受信強度情報、受信Ｃ／Ｎ比情報、ＰＬＬロック情報、フレームロック情報、及び誤り率情報の各種情報のうちの少なくともいずれか１つを受信する。また、選局制御部１０６は、ストリーム処理部１０３に対し、どのＰＳＩ及びＳＩを抽出すべきかを指示し、抽出されたＰＳＩ及びＳＩをストリーム処理部１０３から取得する。
【００２４】
また、選局制御部１０６は、ストリーム処理部１０３でデコードする映像ストリーム及び音声ストリームを指示する。また、選局制御部１０６は、映像音声出力部１０４で映像を出力するか否か、音声を出力するか否か、及びＧＵＩを表示するか否かを指示する。また、選局制御部１０６は、後述するチャンネル情報記憶部１０７からチャンネル情報を取得する。また、選局制御部１０６は、後述するチャンネル情報記憶部１０７のチャンネル情報を更新する。
【００２５】
チャンネル情報記憶部１０７は、デジタル放送を選局するために必要なチャンネル情報を記憶する。チャンネル情報記憶部１０７のデータ形式の一例を図２に示す。チャンネル情報記憶部１０７には、チャンネル情報として、例えば物理チャンネル及びサービスＩＤが保持される。また、物理チャンネル情報及びサービスＩＤ以外の情報として、network_id、original_network_id、TS_ID、ＴＳ名、サービス名等を保持してもよい。
【００２６】
不揮発性メモリ１００は、デジタル放送が運用されている物理チャンネルのリストを記憶したものである。例えば、日本の地上デジタル放送（ＩＳＤＢ−Ｔ）の受信装置の場合には、１３ｃｈ〜６２ｃｈの５０の物理チャンネルを記憶している。また、欧州の地上デジタル放送（ＤＶＢ−Ｔ）の受信装置の場合には、１ｃｈ〜１３ｃｈ、２１ｃｈ〜６９ｃｈの６２の物理チャンネルを記憶している。
【００２７】
なお、不揮発性メモリ１００には、デジタル放送受信装置１の工場出荷時に、前述の物理チャンネルのリストが記憶される。
【００２８】
図３は、本発明の実施の形態１におけるデジタル放送受信装置１の選局制御部１０６が実行する処理を示すフローチャートである。選局制御部１０６は、デジタル放送受信装置の電源がＯＮされることにより、図３のフローチャートに示す処理を開始する（Ｓｔａｒｔ）。
【００２９】
選局制御部１０６は、まず選局処理を行う（Ｓ３０１）。ここでは、電源をＯＦＦするまでに視聴されていたデジタル放送について、映像及び音声の出力を開始する（あるいはＧＵＩを表示する）。選局処理の具体的な内容については、図４のフローチャートを用いて説明する。
【００３０】
続いて、選局制御部１０６は、ユーザ指示受信部１０５からの指示（選局またはスキャン）を待つ（Ｓ３０２）。
【００３１】
ステップＳ３０２においてユーザからの指示があった場合には、選局制御部１０６は、ユーザからの指示の種類が、「選局」か「スキャン」かを判断する（Ｓ３０３）。
【００３２】
ステップＳ３０３においてユーザの指示が「選局」であった場合には、選局制御部１０６は、選局停止処理、すなわち、映像及び音声の出力（あるいはＧＵＩの表示）を停止する処理を行う（Ｓ３０４）。選局停止処理の具体的な内容については、図５のフローチャートを用いて説明する。
【００３３】
選局停止処理（Ｓ３０４）が完了したのち、選局制御部１０６は、選局処理を行う（Ｓ３０５）。ここでは、ステップＳ３０２においてユーザが選択したデジタル放送について映像及び音声の出力を開始する。選局処理の具体的な内容については、図４のフローチャートを用いて説明する。
【００３４】
一方、前述のステップ３０３においてユーザの指示が「スキャン」であった場合には、選局制御部１０６は、選局停止処理を行う（Ｓ３０６）。
【００３５】
続いて、選局制御部１０６は、スキャン実行中であることを示すＧＵＩを映像音声出力部１０４に表示させる（Ｓ３０７）。
【００３６】
選局停止処理（Ｓ３０７）が完了したのち、選局制御部１０６は、チャンネル情報記憶部のチャンネル情報を更新するためのスキャンを行う（Ｓ３０８）。スキャンの具体的な内容については、図６のフローチャートを用いて説明する。
【００３７】
スキャン（Ｓ３０８）の完了後、選局制御部１０６はスキャン実行中であることを示すＧＵＩを映像音声出力部１０５から消去する（Ｓ３０９）。
【００３８】
続いて、選局制御部１０６は、選局処理を行う（Ｓ３１０）。ここでは、スキャンにより更新されたチャンネル情報記憶部からチャンネル情報を１つ選択し、そのチャンネル情報のデジタル放送の映像及び音声の出力を開始する。ここで、選択するチャンネル情報は、例えばチャンネル情報記憶部の先頭に記憶されているチャンネル情報とする。その後、ステップＳ３０２に進み、ユーザ指示受信部１０５からの指示を待つ。
【００３９】
図４は、本発明の実施の形態１におけるデジタル放送受信装置１の選局制御部１０６が実行する選局処理（図３のステップＳ３０１，Ｓ３０５，Ｓ３１０）を示すフローチャートである。まず、選局制御部１０６は、選局するデジタル放送のチャンネル情報（図２参照）を、チャンネル情報記憶部１０７より取得する（Ｓ４０１）。
【００４０】
続いて、選局制御部１０６は、ステップＳ３０１で取得したチャンネル情報の物理チャンネルをチューナ部１０２に通知し、チューナ部１０２は当該物理チャンネルの信号を抽出し、ＴＳをストリーム処理部１０３に出力する（Ｓ４０２）。
【００４１】
続いて、選局制御部１０６は、ストリーム制御部１０３に対し、チューナ部１０２から入力されたＴＳから、番組アソシエーション（統合）テーブル（Program  Association  Table：ＰＡＴ）を抽出するよう指示する（Ｓ４０３）。
【００４２】
続いて、選局制御部１０６は、ステップＳ４０３でＰＡＴの抽出を開始してから一定時間内にＰＡＴを取得できたか否かを判断する（Ｓ４０４）。ステップＳ４０４で一定時間内にＰＡＴを取得できなかった場合には（Ｓ４０４でＮｏ）、後述するステップＳ４１２に進む。
【００４３】
ステップＳ４０４で一定時間内にＰＡＴを取得できた場合には（Ｓ４０４でＹｅｓ）、選局制御部１０６は、ステップＳ４０１で取得したチャンネル情報のサービスＩＤが、取得したＰＡＴに含まれているか否かを判断する。当該サービスＩＤがＰＡＴに含まれていない場合には（Ｓ４０５でＮｏ）、後述するステップＳ４１２に進む。
【００４４】
ステップＳ４０５で当該サービスＩＤがＰＡＴに含まれていた場合には（Ｓ４０５でＹｅｓ）、選局制御部１０６は、ステップＳ４０１で取得したチャンネル情報のサービスＩＤに対応する番組対応テーブル（Program  Map  Table：ＰＭＴ）のＰＩＤ（パケットＩＤ）を、ステップＳ４０５で取得したＰＡＴより取得する。
【００４５】
続いて、選局制御部１０６は、ステップＳ４０６で取得したＰＭＴのＰＩＤを元に、ストリーム制御部１０３に対してＰＭＴの抽出を開始するよう指示する（Ｓ４０７）。
【００４６】
続いて、選局制御部１０６は、ステップＳ４０７でＰＭＴの抽出を開始してから一定時間内にＰＭＴを取得できたか否かを判断する（Ｓ４０８）。一定時間内にＰＭＴを取得できなかった場合には（Ｓ４０８でＮｏ）、後述するステップＳ４１２に進む。
【００４７】
ステップＳ４０８で一定時間内にＰＭＴを取得できた場合には（Ｓ４０８でＹｅｓ）、選局制御部１０６は、取得したＰＭＴから、映像及び音声のＰＩＤを取得する（Ｓ４０９）。
【００４８】
続いて、選局制御部１０６は、ステップＳ４０９で取得した映像及び音声のＰＩＤを元に、ストリーム制御部１０３に対して映像及び音声をデコードするよう指示する（Ｓ４１０）。
【００４９】
続いて、選局制御部１０６は、映像音声出力部１０５に対して、ストリーム処理部１０３でデコードされた映像及び音声の出力を開始するよう指示し（Ｓ４１１）、処理を終了する（すなわち、図３のステップＳ３０２でユーザ指示を待つ）。
【００５０】
一方、前述のステップＳ４０４でＰＡＴを抽出できなかった場合（Ｓ４０４でＮｏ）、ステップＳ４０５でサービスＩＤがＰＡＴに含まれていなかった場合（Ｓ４０５でＮｏ）、またはＳ４０８でＰＭＴを抽出できなかった場合（Ｓ４０８でＮｏ）には、選局制御部１０６は、映像音声出力部１０５に対し、受信不可であることを示すＧＵＩを表示するよう指示し（Ｓ４１２）、処理を終了する。
【００５１】
図５は、本発明の実施の形態１におけるデジタル放送受信装置１の選局制御部１０６が実行する選局停止処理（図３のステップＳ３０４，Ｓ３０６）を示すフローチャートである。選局制御部１０６は、まず、映像音声出力部１０５に対して、受信不可であることを示すＧＵＩを消去するよう指示する（Ｓ５０１）。
【００５２】
続いて、選局制御部１０６は、映像音声出力部１０５に対して、映像及び音声の出力を停止するよう指示する（Ｓ５０２）。
【００５３】
続いて、選局制御部１０６は、ストリーム処理部１０３に対して、映像及び音声のデコードを停止するよう指示する（Ｓ５０３）。
【００５４】
最後に、選局制御部１０６は、ストリーム処理部１０３に対して、ＰＡＴ及びＰＭＴの抽出を停止するよう指示し、処理を終了する（Ｓ５０４）。
【００５５】
図６は、本発明の実施の形態１におけるデジタル放送受信装置１の選局制御部１０６が実行するスキャン（図３のステップＳ３０８）を示すフローチャートである。選局制御部１０６は、まず、不揮発性メモリ１００から、スキャンを実行する物理チャンネルのリストを取得する（Ｓ６０１）。物理チャンネルのリストには、デジタル放送が送信されている可能性のある物理チャンネル全てが１つずつ含まれている。なお、物理チャンネルのリストの物理チャンネルの並び順は、昇順でも降順でもそれ以外の並び順でもよい。
【００５６】
続いて、選局制御部１０６は、ステップＳ６０１で取得した物理チャンネルリストの先頭の物理チャンネルを選択する（Ｓ６０２）。
【００５７】
続いて、選局制御部１０６は、選択した物理チャンネルでチューナ部１０２の制御を行う（Ｓ６０３）。
【００５８】
続いて、選局制御部１０６は、チューナ部１０２から受信強度を取得し、取得した受信強度を閾値と比較する（Ｓ６０４）。受信強度が閾値未満であった場合には（Ｓ６０４でＮｏ）、後述するステップＳ６１１に進む。
【００５９】
ステップＳ６０４で受信強度が閾値以上であった場合には（Ｓ６０４でＹｅｓ）、選局制御部１０６は、選択した物理チャンネルを含むチャンネル情報が、チャンネル情報記憶部１０７に記憶されているか否かを判断する（Ｓ６０５）。選択した物理チャンネルを含むチャンネル情報がチャンネル情報記憶部１０７に記憶されている場合には（Ｓ６０５でＹｅｓ）、後述するステップＳ６１１に進む。
【００６０】
ステップＳ６０５で、選択した物理チャンネルを含むチャンネル情報がチャンネル情報記憶部１０７に記憶されていない場合には（Ｓ６０５でＮｏ）、選局制御部１０６は、ストリーム処理部１０３にＰＳＩ及びＳＩの少なくとも一方（以下、ＰＳＩ／ＳＩとする）の抽出を開始させる（Ｓ６０６）。
【００６１】
続いて、選局制御部１０６は、ステップＳ６０６においてＰＳＩ／ＳＩの抽出を開始してから一定時間内にＳＩを取得できたか否かを判断する（Ｓ６０７）。一定時間内にＰＳＩ／ＳＩを取得できなかった場合には（Ｓ６０７でＮｏ）、後述するステップＳ６１０に進む。
【００６２】
ステップＳ６０７で一定時間内にＰＳＩ／ＳＩを取得できた場合には（Ｓ６０７でＹｅｓ）、選局制御部１０６は、チャンネル情報を生成する（Ｓ６０８）。チャンネル情報の物理チャンネルは、現在選択中の物理チャンネルとする。また、サービスＩＤは、取得したＰＳＩ／ＳＩより取得する。チャンネル情報として、物理チャンネル及びサービスＩＤ以外の情報として、network_id、original_network_id、TS_ID、ＴＳ名、サービス名等を保持している場合、これらの値は取得したＰＳＩ／ＳＩより取得する。
【００６３】
続いて、選局制御部１０６は、ステップＳ６０８で生成したチャンネル情報を、チャンネル情報記憶部１０７に追加する（Ｓ６０９）。このとき、ステップＳ６０８で取得したチャンネル情報と物理チャンネルが一致するチャンネル情報がチャンネル情報記憶部１０７に既に存在する場合には、ステップＳ６０８で取得したチャンネル情報を、物理チャンネルの一致するチャンネル情報に上書き保存する。
【００６４】
ステップＳ６０９でチャンネル情報を追加したのち、またはステップＳ６０７でＰＳＩ／ＳＩを取得できなかった場合（Ｓ６０７でＮｏ）には、選局制御部１０６は、ストリーム処理部１０３にＰＳＩ／ＳＩの抽出を停止させる（Ｓ６１０）。
【００６５】
ステップＳ６１０でＰＳＩ／ＳＩの抽出を停止したのち、またはステップＳ６０４で受信強度が閾値未満であった場合（Ｓ６０４でＮｏ）若しくはステップＳ６０５で当該物理チャンネルを含むチャンネル情報がチャンネル情報記憶部１０７に記憶されていた場合（Ｓ６０５でＹｅｓ）には、選局制御部１０６は、ステップＳ６０１で取得した物理チャンネルリストの全ての物理チャンネルを選択したか否かを判断する（Ｓ６１１）。全ての物理チャンネルを選択していた場合には（Ｓ６１１でＹｅｓ）、処理を終了する。
【００６６】
ステップＳ６１１で全ての物理チャンネルを選択していない場合には（Ｓ６１１でＮｏ）、選局制御部１０６は、ステップＳ６０１で取得した物理チャンネルリストの中から、現在選択している物理チャンネルの次の物理チャンネルを選択し（Ｓ６１２）、前述のステップＳ６０３に進む。
【００６７】
このように、実施の形態１のデジタル放送受信装置は、受信強度が閾値以上の場合に必ずＰＳＩ／ＳＩの取得を行うのではなく、受信強度が閾値以上でかつ物理チャンネルがチャンネル情報記憶部１０７に記憶されていない場合にＰＳＩ／ＳＩの取得を行う（図６のステップＳ６０４〜Ｓ６０６）。そのため、受信強度が閾値以上の場合に必ずＰＳＩ／ＳＩの取得を行う場合と比較して、スキャンに要する時間を短縮することができる。また、従来技術（特許文献１参照）のようにチューナ部等のハードウェアを追加する必要もない。
【００６８】
実施の形態２．
次に、本発明の実施の形態２のデジタル放送受信装置について説明する。図７は、実施の形態２のデジタル放送受信装置の構成を示すブロック図である。実施の形態２のデジタル放送受信装置は、実施の形態１のデジタル放送受信装置を構成するブロックに加えて、受信強度記憶部１０８を備えて構成される。
【００６９】
受信強度記憶部１０８は、物理チャンネル毎にその物理チャンネルを選択したときの受信強度を記憶している。受信強度記憶部１０８に記憶するデータ形式の一例を図８に示す。図８に示した例では、受信強度記憶部１０８は、今回の受信強度、前回の受信強度、及び２回前の受信強度を記憶している。或いは、今回の受信強度と前回の受信強度とを記憶するようにしてもよく、今回の受信強度のみを記憶するようにしてもよい。また、２回前より以前の受信強度を記憶するようにしてもよい。
【００７０】
選局制御部１０６は、受信強度記憶部１０８から受信強度を取得する。また、選局制御部１０６は、受信強度記憶部１０８の受信強度を更新する。
【００７１】
実施の形態２のデジタル放送受信装置の選局制御部１０６の動作は、前述の実施の形態１のデジタル放送受信装置の選局制御部とほぼ同じであるが、スキャンの処理手順が、図６に示されたスキャンと異なっている。
【００７２】
図９は、本発明の実施の形態２におけるデジタル放送受信装置の選局制御部１０６が行うスキャンの処理を示すフローチャートである。選局制御部１０６は、不揮発性メモリ１００から、スキャンを実行する物理チャンネルのリストを取得する（Ｓ９０１）。物理チャンネルのリストには、デジタル放送が送信されている可能性のある物理チャンネル全てが１つずつ含まれている。物理チャンネルのリストの物理チャンネルの並び順は、昇順でも降順でもそれ以外の並び順でもよい。
【００７３】
次に、選局制御部１０６は、ステップＳ９０１で取得した物理チャンネルリストの先頭の物理チャンネルを選択する（Ｓ９０２）。
【００７４】
続いて、選局制御部１０６は、選択した物理チャンネルでチューナ部１０２の制御を行う（Ｓ９０３）。
【００７５】
続いて、選局制御部１０６は、受信強度記憶部１０８の現在選択している物理チャンネルの欄の受信強度を更新する（Ｓ９０４）。図８に示した例で説明すると、まず２回前の受信強度の欄に、前回の受信強度の欄に記載された値を書き込み、次に、前回の受信強度の欄に、今回の受信強度の欄に記載された値を書き込み、次に、今回の受信強度の欄に、チューナ部１０２より取得した受信強度の値を書き込む。なお、２回前より以前の受信強度を記憶している場合には、古い受信強度の欄より順に、（Ｎ＋１）回前の受信強度の欄に、Ｎ回前の受信強度の欄に記載された値を書き込むことにより、受信強度の値を更新する。
【００７６】
続いて、選局制御部１０６は、受信強度記憶部１０８の現在選択している物理チャンネルの欄の受信強度から受信強度スコアを算出する（Ｓ９０５）。ここで、複数の受信強度スコアを算出してもよい。
【００７７】
続いて、選局制御部１０６は、ステップＳ９０５で算出した受信強度スコアが所定の条件を満たすか否かを判定する（Ｓ９０６）。所定の条件とは、例えば、受信強度スコアが閾値以上か否か、である。
【００７８】
ステップＳ９０５及びステップＳ９０６の処理の一例を図１０に示す。図１０に示した例では、ステップＳ９０５において、今回の受信強度と前回の受信強度と２回前の受信強度とを加算することにより受信強度スコアを算出する。ステップＳ９０６では、「所定の条件」として、受信強度スコアが閾値以上であるか否かを判断する。所定の条件を満たさない場合には（Ｓ９０６でＮｏ）、後述するステップＳ９１３に進む。
【００７９】
ステップＳ９０６において受信強度スコアが所定の条件を満たす場合には（Ｓ９０６でＹｅｓ）、選局制御部１０６は、選択した物理チャンネルを含むチャンネル情報がチャンネル情報記憶部１０７に記憶されているか否かを判断する（Ｓ９０７）。選択した物理チャンネルを含むチャンネル情報がチャンネル情報記憶部１０７に記憶されている場合には（Ｓ９０７でＹｅｓ）、後述するステップＳ９１３に進む。
【００８０】
ステップＳ９０７で、選択した物理チャンネルを含むチャンネル情報がチャンネル情報記憶部１０７に記憶されていない場合には（Ｓ９０７でＮｏ）、選局制御部１０６は、ストリーム処理部１０３にＰＳＩ／ＳＩ（すなわち、ＰＳＩ及びＳＩの少なくとも一方）の抽出を開始させる（Ｓ９０８）。
【００８１】
続いて、選局制御部１０６は、ステップＳ９０８においてＰＳＩ／ＳＩの抽出を開始してから一定時間内にＰＳＩ／ＳＩを取得できたか否かを判断する（Ｓ９０９）。ＰＳＩ／ＳＩを取得できなかった場合には（Ｓ９０９でＮｏ）、後述するステップＳ９１２に進む。
【００８２】
ステップＳ９０９においてＰＳＩ／ＳＩを取得できた場合には（Ｓ９０９でＹｅｓ）、選局制御部１０６は、チャンネル情報を生成する（Ｓ９１０）。チャンネル情報の物理チャンネルは、現在選択中の物理チャンネルとする。また、サービスＩＤは、取得したＰＳＩ／ＳＩより取得する。また、チャンネル情報として、物理チャンネル及びサービスＩＤ以外の情報として、network_id、original_network_id、TS_ID、ＴＳ名、サービス名等を保持している場合、これらの値は取得したＰＳＩ／ＳＩより取得する。
【００８３】
続いて、選局制御部１０６は、ステップＳ９１０で生成したチャンネル情報をチャンネル情報記憶部１０７に追加する（Ｓ９１１）。このとき、ステップＳ９１０で取得したチャンネル情報と物理チャンネルが一致するチャンネル情報がチャンネル情報記憶部１０７に存在する場合には、ステップＳ９１０で取得したチャンネル情報を、物理チャンネルの一致するチャンネル情報に上書き保存する。
【００８４】
ステップＳ９１１でチャンネル情報を追加したのち、または、ステップＳ９０９でＰＳＩ／ＳＩを取得できなかった場合には（Ｓ９０９でＮｏ）、選局制御部１０６は、ストリーム処理部１０３にＰＳＩ／ＳＩの抽出を停止させる（Ｓ９１２）。
【００８５】
ステップＳ９１２でＰＳＩ／ＳＩの抽出を停止したのち、または、ステップＳ９０６で受信強度スコアが所定の条件を満たさなかった場合（Ｓ９０６でＮｏ）若しくはステップＳ９０７で当該物理チャンネルを含むチャンネル情報がチャンネル情報記憶部１０７に記憶されていた場合（Ｓ９０７でＹｅｓ）には、選局制御部１０６は、ステップＳ９０１で取得した物理チャンネルリストの全ての物理チャンネルを選択したか否かを判断する（Ｓ９１３）。全ての物理チャンネルを選択している場合には、処理を終了する。
【００８６】
ステップＳ９１３で全ての物理チャンネルを選択していない場合には（Ｓ９１３でＮｏ）、選局制御部１０６は、ステップＳ９０１で取得した物理チャンネルリストの中から、現在選択している物理チャンネルの次の物理チャンネルを選択し（Ｓ９１４）、前述のステップＳ９０３に進む。
【００８７】
実施の形態２のデジタル放送受信装置では、受信強度の履歴（例えば今回の受信強度と前回の受信強度と２回前の受信強度との線形和）から受信強度スコアを算出し（図９のステップＳ９０５）、当該受信強度スコアが所定の条件を満たす（例えば閾値以上）場合にはＰＳＩ／ＳＩの抽出を行い、満たさない（例えば閾値未満）場合にはＰＳＩ／ＳＩの抽出を行わない（Ｓ９０６）。このようにすれば、一時的に受信強度が強くなっただけはＰＳＩ／ＳＩの抽出を行わず、受信強度が強い状態が続いた場合にＰＳＩ／ＳＩの抽出を行うようにすることができる。なお、ステップＳ９０５において今回の受信強度を受信強度スコアとすれば、当該受信強度スコア（今回の受信強度）が閾値以上である場合にはＰＳＩ／ＳＩの抽出を行い、閾値未満である場合にはＰＳＩ／ＳＩの抽出を行わないこととなり、実施の形態１のデジタル放送受信装置と同様の動作を行うことになる。このように、実施の形態２のデジタル放送受信装置によれば、ＰＳＩ／ＳＩの抽出を行うか否かをきめ細かに判断することで、実施の形態１のデジタル放送受信装置と比較して、複雑な制御への対応が可能となる。
【００８８】
実施の形態３．
次に、本発明の実施の形態３のデジタル放送受信装置について説明する。実施の形態３のデジタル放送受信装置の構成は、前述の実施の形態２のデジタル放送受信装置の構成（図７）と同様である。また、実施の形態３のデジタル放送受信装置の選局制御部１０６の動作は、前述の実施の形態２のデジタル放送受信装置とほぼ同様であるが、図９のスキャンにおけるステップＳ９０１の処理（すなわち物理チャンネルのリストの取得）のみ異なる。
【００８９】
前述の実施の形態２のデジタル放送受信装置では、ステップＳ９０１（図９）で取得する物理チャンネルのリストには、デジタル放送が送信されている可能性のある全ての物理チャンネルが１つずつ含まれていた。これに対し、実施の形態３のデジタル放送受信装置では、ステップＳ９０１において、受信強度記憶部１０８に記憶している受信強度を元に、物理チャンネルのリストに含める物理チャンネルを決定する。
【００９０】
図１１に、実施の形態３のデジタル放送受信装置のステップＳ９０１（図９）の処理の一例を示す。選局制御部１０６は、まず、物理チャンネルのリストに、デジタル放送を受信できる可能性のある物理チャンネル全てを１つずつ含める（Ｓ１１０１）。
【００９１】
続いて、選局制御部１０６は、受信強度記憶部１０８から、全ての物理チャンネルの今回の受信強度及び前回の受信強度を取得する（Ｓ１１０２）。
【００９２】
続いて、選局制御部１０６は、全ての物理チャンネルについて、前回の受信強度と今回の受信強度との差を算出し、差が閾値以上の物理チャンネルを、物理チャンネルのリストに追加する（Ｓ１１０３）。例えば、図８に示した例では、前回の受信強度と今回の受信強度との差が大きい物理チャンネル「１７」を、物理チャンネルのリストに２つ含ませる。これにより、図９に示したステップＳ９０２〜Ｓ９１４において、受信強度の差が閾値以上の物理チャンネル（例えば物理チャンネル１７）については、ＰＳＩ／ＳＩの抽出を２回行い、それ以外の物理チャンネルについては、ＰＳＩ／ＳＩの抽出を１回だけ行うこととなる。
【００９３】
このように、実施の形態３のデジタル放送受信装置では、受信強度が頻繁に変化している物理チャンネルについては、ＰＳＩ／ＳＩを抽出する頻度を高くすることができる（図１１のステップＳ１１０３）。受信強度が頻繁に変化している物理チャンネルの場合、１回のＰＳＩ／ＳＩの抽出ではＰＳＩ／ＳＩを取得できない可能性があるが、ＰＳＩ／ＳＩを抽出する頻度を高くすることで、ＰＳＩ／ＳＩを取得できる可能性を高くすることができる。このように、実施の形態３のデジタル放送受信装置は、実施の形態２のデジタル放送受信装置と比較して、受信強度が変化しているデジタル放送のチャンネル情報を早く取得することができる。
【００９４】
実施の形態４．
次に本発明の実施の形態４のデジタル放送受信装置について説明する。実施の形態４のデジタル放送受信装置の構成は、前述の実施の形態１のデジタル放送受信装置１の構成（図１）と同様である。また、本実施の形態のデジタル放送受信装置の選局制御部１０６の動作は、前述の実施の形態１のデジタル放送受信装置１の動作（図３〜図６）とほぼ同様であるが、スキャンの処理手順が異なっている。
【００９５】
図１２は、実施の形態４のデジタル放送受信装置の選局制御部１０６が実行するスキャンの処理を示すフローチャートである。選局制御部１０６は、まず、不揮発性メモリ１００から、スキャンを実行する物理チャンネルのリストを取得する（Ｓ１００１）。物理チャンネルのリストには、デジタル放送が送信されている可能性のある物理チャンネルが全て１つずつ含まれている。物理チャンネルのリストの物理チャンネルの並び順は、昇順でも降順でもそれ以外の並び順でもよい。
【００９６】
続いて、選局制御部１０６は、ステップＳ１００１で取得した物理チャンネルリストの先頭の物理チャンネルを選択する（Ｓ１００２）。
【００９７】
続いて、選局制御部１０６は、選択した物理チャンネルでチューナ部１０２の制御を行う（Ｓ１００３）。
【００９８】
続いて、選局制御部１０６は、チューナ部１０２から受信強度を取得し、受信強度を閾値と比較する（Ｓ１００４）。受信強度が閾値未満であった場合には（Ｓ１００４でＮｏ）、後述するステップＳ１０１２に進む。
【００９９】
ステップＳ１００４で受信強度が閾値以上であった場合には（Ｓ１００４でＹｅｓ）、選局制御部１０６は、チューナ部１０２でフレームロックを検出したか否かを判断する（Ｓ１００５）。フレームロックを検出しなかった場合には（Ｓ１００５でＮｏ）、後述するステップＳ１０１２に進む。
【０１００】
ステップＳ１００５でフレームロックを検出した場合には（Ｓ１００５でＹｅｓ）、選局制御部１０６は、選択した物理チャンネルを含むチャンネル情報がチャンネル情報記憶部１０７に記憶されているか否かを判断する（Ｓ１００６）。選択した物理チャンネルを含むチャンネル情報がチャンネル情報記憶部１０７に記憶されている場合には（Ｓ１００６でＹｅｓ）、後述するステップＳ１００７に進む。
【０１０１】
ステップＳ１００６で、選択した物理チャンネルを含むチャンネル情報がチャンネル情報記憶部１０７に記憶されていない場合には（Ｓ１００６でＮｏ）、選局制御部１０６は、ストリーム処理部１０３にＰＳＩ／ＳＩ（すなわち、ＰＳＩ又はＳＩの少なくとも一方）の抽出を開始させる（Ｓ１００７）。
【０１０２】
続いて、選局制御部１０６は、ステップＳ１００７においてＰＳＩ／ＳＩの抽出を開始してから一定時間内にＰＳＩ／ＳＩを取得できたか否かを判断する（Ｓ１００８）。ＰＳＩ／ＳＩを取得できなかった場合には（Ｓ１００８でＮｏ）、後述するステップＳ１０１１に進む。
【０１０３】
ステップＳ１００８でＰＳＩ／ＳＩを取得できた場合には（Ｓ１００８でＹｅｓ）、選局制御部１０６は、チャンネル情報を生成する（Ｓ１００９）。チャンネル情報の物理チャンネルは、現在選択中の物理チャンネルとする。また、サービスＩＤは、取得したＰＳＩ／ＳＩより取得する。また、チャンネル情報として、物理チャンネル及びサービスＩＤ以外の情報として、network_id、original_network_id、TS_ID、ＴＳ名、サービス名等を保持している場合、これらの値は取得したＰＳＩ／ＳＩより取得する。
【０１０４】
続いて、選局制御部１０６は、ステップＳ１００９で生成したチャンネル情報をチャンネル情報記憶部１０７に追加する（Ｓ１０１０）。このとき、ステップＳ１００９で取得したチャンネル情報と物理チャンネルが一致するチャンネル情報がチャンネル情報記憶部１０７に存在する場合には、ステップＳ１００９で取得したチャンネル情報を、物理チャンネルの一致するチャンネル情報に上書き保存する。
【０１０５】
ステップＳ１０１０でチャンネル情報を追加したのち、または、ステップＳ１００８でＰＳＩ／ＳＩが抽出できなかった場合（Ｓ１００８でＮｏ）には、選局制御部１０６は、ストリーム処理部１０３にＰＳＩ／ＳＩの抽出を停止させる（Ｓ１０１１）。
【０１０６】
ステップＳ１０１１でＰＳＩ／ＳＩの抽出を停止したのち、または、ステップＳ１００４で受信強度が閾値未満であった場合（Ｓ１００４でＮｏ）、ステップＳ１００５でフレームロックが検出されなかった場合（Ｓ１００５でＮｏ）若しくはステップＳ１００６で当該物理チャンネルを含むチャンネル情報がチャンネル情報記憶部１０７に記憶されていた場合には（Ｓ１００６でＹｅｓ）、選局制御部１０６は、ステップＳ１００１で取得した物理チャンネルリストの全ての物理チャンネルを選択したか否かを判断する（Ｓ１０１２）。全ての物理チャンネルを選択している場合には（Ｓ１０１２でＹｅｓ）、処理を終了する。
【０１０７】
ステップＳ１０１２で全ての物理チャンネルを選択していない場合には（Ｓ１０１２でＮｏ）、選局制御部１０６は、ステップＳ１００１で取得した物理チャンネルリストの中から、現在選択している物理チャンネルの次の物理チャンネルを選択し（Ｓ１０１３）、前述のステップＳ１００３に進む。
【０１０８】
前述の実施の形態１のデジタル放送受信装置では、受信強度が閾値以上でかつ物理チャンネルがチャンネル情報記憶部１０７に記憶されていない場合に、ＰＳＩ／ＳＩの抽出を開始していた。そのため、デジタル放送以外の要因（例えば、アナログ放送など）で受信強度が閾値以上でかつ当該物理チャンネルがチャンネル情報記憶部１０７に記憶されていない場合にも、ＰＳＩ／ＳＩの抽出を開始していた。この場合、デジタル放送が送信されていない物理チャンネルでＰＳＩ／ＳＩの抽出を行おうとしても、ＰＳＩ／ＳＩの取得ができないことから、スキャンに要する時間が長くなる。これに対し、この実施の形態４のデジタル放送受信装置は、フレームロックしなければＰＳＩ／ＳＩ取得を行わないため（図１２のステップＳ１００５）、デジタル放送以外の要因で受信強度が閾値以上となっている場合にはＰＳＩ／ＳＩの抽出を行わない。このように、実施の形態４のデジタル放送受信装置では、実施の形態１のデジタル放送受信装置と比較して、スキャンに要する時間を短縮することができる。
【０１０９】
実施の形態５．
次に本発明の実施の形態５のデジタル放送受信装置について説明する。実施の形態５のデジタル放送受信装置の構成は、前述の実施の形態４のデジタル放送受信装置の構成と同様である。
【０１１０】
図１３は、実施の形態５のデジタル放送受信装置のチャンネル情報記憶部１０７のデータ形式の一例を示す図である。チャンネル情報としては、物理チャンネル、受信不可の回数、及びサービスＩＤを保持する。また、物理チャンネル、受信不可の回数、及びサービスＩＤ以外の情報として、network_id、original_network_id、TS_ID、ＴＳ名、サービス名等を保持してもよい。
【０１１１】
実施の形態５のデジタル放送受信装置の選局制御部１０６の動作は、前述の実施の形態４のデジタル放送受信装置の動作とほぼ同様であるが、スキャンの処理手順が異なっている。
【０１１２】
図１４は、本発明の実施の形態５におけるデジタル放送受信装置の選局制御部１０６が行うスキャンの処理を示すフローチャートである。選局制御部１０６は、まず、不揮発性メモリ１００から、スキャンを実行する物理チャンネルのリストを取得する（Ｓ１２０１）。物理チャンネルのリストには、デジタル放送が送信されている可能性のある物理チャンネル全てが１つずつ含まれている。物理チャンネルのリストの物理チャンネルの並び順は、昇順でも降順でもそれ以外の並び順でもよい。
【０１１３】
続いて、選局制御部１０６は、ステップＳ１２０１で取得した物理チャンネルリストの先頭の物理チャンネルを選択する（Ｓ１２０２）。
【０１１４】
続いて、選局制御部１０６は、選択した物理チャンネルでチューナ部１０２の制御を行う（Ｓ１２０３）。
【０１１５】
続いて、選局制御部１０６は、チューナ部１０２から受信強度を取得し、閾値と比較する（Ｓ１２０４）。受信強度が閾値未満である場合には（Ｓ１２０４でＮｏ）、後述するステップＳ１２１４に進む。
【０１１６】
ステップ１２０４で受信強度が閾値以上であった場合には（Ｓ１２０４でＹｅｓ）、選局制御部１０６は、チューナ部１０２でフレームロックを検出したか否かを判断する（Ｓ１２０５）。フレームロックを検出しなかった場合には（Ｓ１２０５でＮｏ）、後述するステップＳ１２１４に進む。
【０１１７】
ステップＳ１２０５でフレームロックを検出した場合には（Ｓ１２０５でＹｅｓ）、選局制御部１０６は、選択した物理チャンネルを含むチャンネル情報がチャンネル情報記憶部１０７に記憶されているか否かを判断する（Ｓ１２０６）。選択した物理チャンネルを含むチャンネル情報がチャンネル情報記憶部１０７に記憶されている場合には（Ｓ１２０６でＹｅｓ）、後述するステップＳ１２１８に進む。
【０１１８】
ステップＳ１２０６で、選択した物理チャンネルを含むチャンネル情報がチャンネル情報記憶部１０７に記憶されていない場合には（Ｓ１２０６でＮｏ）、選局制御部１０６は、ストリーム処理部１０３にＰＳＩ／ＳＩ（すなわち、ＰＳＩ又はＳＩの少なくとも一方）の抽出を開始させる（Ｓ１２０７）。
【０１１９】
続いて、選局制御部１０６は、ステップＳ１２０７においてＰＳＩ／ＳＩの抽出を開始してから一定時間内にＰＳＩ／ＳＩを取得できたか否かを判断する（Ｓ１２０８）。ＰＳＩ／ＳＩを取得できなかった場合には（Ｓ１２０８でＮｏ）、後述するステップＳ１２１２に進む。
【０１２０】
ステップＳ１２０８でＰＳＩ／ＳＩを取得できた場合には（Ｓ１２０８でＹｅｓ）、選局制御部１０６は、チャンネル情報を生成する（Ｓ１２０９）。チャンネル情報の物理チャンネルは、現在選択中の物理チャンネルとする。また、サービスＩＤは、取得したＰＳＩ／ＳＩより取得する。また、チャンネル情報として、物理チャンネル及びサービスＩＤ以外の情報として、network_id、original_network_id、TS_ID、ＴＳ名、サービス名等を保持している場合、これらの値は取得したＰＳＩ／ＳＩより取得する。また、受信不可の回数を示すカウント数を０とする。
【０１２１】
続いて、選局制御部１０６は、ステップＳ１２０９で生成したチャンネル情報をチャンネル情報記憶部１０７に追加する（Ｓ１２１０）。このとき、ステップＳ１２０９で取得したチャンネル情報と物理チャンネルが一致するチャンネル情報がチャンネル情報記憶部１０７に存在する場合には、ステップＳ１２０９で取得したチャンネル情報を、物理チャンネルの一致するチャンネル情報に上書き保存する。
【０１２２】
ステップＳ１２１０でチャンネル情報を追加したのち、または、ステップＳ１２０８において一定時間内にＰＳＩ／ＳＩを取得できなかった場合には（Ｓ１２０８でＮｏ）、選局制御部１０６は、ストリーム処理部１０３にＰＳＩ／ＳＩの抽出を停止させる（Ｓ１２１１）。
【０１２３】
ステップＳ１２１１でＰＳＩ／ＳＩの抽出を停止したのち、選局制御部１０６は、ステップＳ１２０１で取得した物理チャンネルリストの全ての物理チャンネルを選択したか否かを判断する（Ｓ１２１２）。全ての物理チャンネルを選択している場合には（Ｓ１２１２でＹｅｓ）、処理を終了する。
【０１２４】
ステップＳ１２１２で全ての物理チャンネルを選択していない場合には（Ｓ１２１２でＮｏ）、選局制御部１０６は、ステップＳ１２０１で取得した物理チャンネルリストの中から、現在選択している物理チャンネルの次の物理チャンネルを選択し（Ｓ１２１３）、ステップＳ１２０３に進む。
【０１２５】
一方、前述のステップＳ１２０４で受信強度が閾値未満の場合（Ｓ１２０４でＮｏ）、または、ステップＳ１２０５でフレームロックが検出されなかった場合（Ｓ１２０５でＮｏ）には、選局制御部１０６は、選択した物理チャンネルを含むチャンネル情報がチャンネル情報記憶部１０７に記憶されているか否かを判断する（Ｓ１２１４）。選択した物理チャンネルを含むチャンネル情報がチャンネル情報記憶部１０７に記憶されていない場合には（Ｓ１２１４でＮｏ）、前述のステップＳ１２１２に進む。
【０１２６】
ステップＳ１２１４で、選択した物理チャンネルを含むチャンネル情報がチャンネル情報記憶部１０７に記憶されている場合には（Ｓ１２１４でＹｅｓ）、選局制御部１０６は、選択した物理チャンネルを含むチャンネル情報の受信不可の回数を示すカウント数を１増加させる（Ｓ１２１５）。
【０１２７】
続いて、選局制御部１０６は、ステップＳ１２１５で更新した受信不可の回数を示すカウント数を、閾値（例えば５回）と比較する。カウント数が閾値未満であった場合には（Ｓ１２１６でＮｏ）、前述のステップＳ１２１２に進む。
【０１２８】
ステップＳ１２１６で受信不可の回数を示すカウント数が閾値以上であった場合には（Ｓ１２１６でＹｅｓ）、選局制御部１０６は、カウント数が閾値（例えば、５回）以上と判定した物理チャンネルを含むチャンネル情報を、チャンネル情報記憶部１０８より削除し（Ｓ１２１７）、前述のステップＳ１２１２に進む。
【０１２９】
一方、前述のステップＳ１２０６で、選択した物理チャンネルを含むチャンネル情報がチャンネル情報記憶部１０７に記憶されていた場合には（Ｓ１２０６でＹｅｓ）、選局制御部１０６は、選択した物理チャンネルを含むチャンネル情報の受信不可の回数を示すカウント数を０にし（Ｓ１２１８）、前述のステップＳ１２１２に進む。
【０１３０】
前述の実施の形態４のデジタル放送受信装置では、受信できなくなったデジタル放送のチャンネル情報の削除を行わないため、移動により受信可能なデジタル放送が変化した場合、受信不能になったデジタル放送のチャンネル情報がチャンネル情報記憶部１０７に残っている。そのため、移動する毎に受信不能なデジタル放送のチャンネル情報が増え、ユーザが受信可能なデジタル放送を選局することが難しくなる。これに対し、実施の形態５のデジタル放送受信装置では、受信不能になったデジタル放送のチャンネル情報を削除することができる（図１４のステップＳ１２１６〜Ｓ１２１７）。また、一定回数以上受信できなかった場合に削除を行うことで、例えばトンネル等に入り、一時的にデジタル放送を受信できなくなった場合にチャンネル情報を削除することを防止している。このように、実施の形態５のデジタル放送受信装置は、実施の形態４のデジタル放送受信装置と比較して、ユーザが受信可能なデジタル放送を容易に選局することができる。
【０１３１】
実施の形態６．
次に本発明の実施の形態６のデジタル放送受信装置について説明する。図１５（Ａ）は、実施の形態６のデジタル放送受信装置の構成を示すブロック図である。実施の形態６のデジタル放送受信装置は、実施の形態１のデジタル放送受信装置の構成要素（図１）に加えて、位置情報取得部１０９と、位置情報記憶部１１０とを備えて構成される。
【０１３２】
位置情報取得部１０９は、現在の位置情報を取得し、選局制御部１０６に通知する。位置情報取得部は、全地球測位システム（Global  Positioning  System：略称ＧＰＳ）受信機であってもよいし、他の方法で位置情報を取得する機器であってもよい。
【０１３３】
位置情報記憶部１１０は、図１５（Ｂ）に一例を示すように、前回のスキャンを開始したときの位置情報と、今回のスキャンを開始したときの位置情報とを記憶する。
【０１３４】
選局制御部１０６は、位置情報取得部１０９から現在の位置情報を取得する。また、選局制御部１０６は、位置情報記憶部１１０から前回のスキャンを開始したときの位置情報及び今回のスキャンを開始したときの位置情報を取得し、記憶する。また、選局制御部１０６は、位置情報記憶部１１０に記憶された、前回のスキャンを開始したときの位置情報及び今回のスキャンを開始したときの位置情報を更新する。
【０１３５】
実施の形態６のデジタル放送受信装置の選局制御部１０６の動作は、前述の実施の形態５のデジタル放送受信装置の動作とほぼ同様であるが、スキャンの処理手順が異なっている。
【０１３６】
図１６は、実施の形態６におけるデジタル放送受信装置の選局制御部１０６が行うスキャンの処理を示すフローチャートである。選局制御部１０６は、まず、不揮発性メモリ１００から、スキャンを実行する物理チャンネルのリストを取得する（Ｓ１４０１）。物理チャンネルのリストには、デジタル放送が送信されている可能性のある物理チャンネル全てが１つずつ含まれている。物理チャンネルのリストの物理チャンネルの並び順は、昇順でも降順でもそれ以外の並び順でもよい。
【０１３７】
続いて、選局制御部１０６は、位置情報記憶部１１０の更新を行う（Ｓ１４０２）。更新に際しては、前回のスキャンを開始したときの位置情報の欄に、今回のスキャンを開始したときの位置情報の値を書き込み、さらに、今回のスキャンを開始したときの位置情報の欄に、位置情報取得部１０９より取得した位置情報の値を書き込む。
【０１３８】
続いて、選局制御部１０６は、ステップＳ１４０１で取得した物理チャンネルリストの先頭の物理チャンネルを選択する（Ｓ１４０３）。
【０１３９】
続いて、選局制御部１０６は、選択した物理チャンネルでチューナ部１０２の制御を行う（Ｓ１４０４）。
【０１４０】
続いて、選局制御部１０６は、チューナ部１０２から受信強度を取得し、取得して受信強度を閾値と比較する（Ｓ１４０５）。受信強度が閾値未満である場合には（Ｓ１４０５でＮｏ）、後述するステップＳ１４１５に進む。
【０１４１】
ステップＳ１４０５で受信強度が閾値以上である場合には（Ｓ１４０５でＹｅｓ）、選局制御部１０６は、チューナ部１０２でフレームロックを検出したか否かを判断する（Ｓ１４０６）。フレームロックを検出しなかった場合には（Ｓ１４０６でＮｏ）、後述するステップＳ１４１５に進む。
【０１４２】
ステップ１４０６でフレームロックを検出した場合には（Ｓ１４０６でＹｅｓ）、選局制御部１０６は、選択した物理チャンネルを含むチャンネル情報がチャンネル情報記憶部１０７に記憶されているか否かを判断する（Ｓ１４０７）。選択した物理チャンネルを含むチャンネル情報がチャンネル情報記憶部１０７に記憶されている場合には（Ｓ１４０７でＮｏ）、後述するステップＳ１４１９に進む。
【０１４３】
ステップＳ１４０７で、選択した物理チャンネルを含むチャンネル情報がチャンネル情報記憶部１０７に記憶されていない場合には（Ｓ１４０７でＹｅｓ）、選局制御部１０６は、ストリーム処理部１０３にＰＳＩ／ＳＩ（すなわち、ＰＳＩ又はＳＩの少なくとも一方）の抽出を開始させる（Ｓ１４０８）。
【０１４４】
続いて、選局制御部１０６は、ステップＳ１４０８においてＰＳＩ／ＳＩの抽出を開始してから一定時間内にＰＳＩ／ＳＩを取得できたか否かを判断する（Ｓ１４０９）。一定時間内にＰＳＩ／ＳＩを取得できなかった場合には（Ｓ１４０９でＮｏ）、ステップＳ１４１２に進む。
【０１４５】
ステップＳ１４０９で一定時間内にＰＳＩ／ＳＩを取得できた場合には（Ｓ１４０９でＹｅｓ）、選局制御部１０６は、チャンネル情報を生成する（Ｓ１４１０）。チャンネル情報の物理チャンネルは、現在選択中の物理チャンネルとする。また、サービスＩＤは、取得したＰＳＩ／ＳＩより取得する。また、チャンネル情報として、物理チャンネル及びサービスＩＤ以外の情報として、network_id、original_network_id、TS_ID、ＴＳ名、サービス名等を保持している場合、これらの値は取得したＰＳＩ／ＳＩより取得する。また、受信不可の回数を示すカウント数は０とする。
【０１４６】
続いて、選局制御部１０６は、ステップＳ１４１０で生成したチャンネル情報をチャンネル情報記憶部１０７に追加する（Ｓ１４１１）。このとき、ステップＳ１４１０で取得したチャンネル情報と物理チャンネルが一致するチャンネル情報がチャンネル情報記憶部１０７に存在する場合には、ステップＳ１４１０で取得したチャンネル情報を、物理チャンネルの一致するチャンネル情報に上書き保存する。
【０１４７】
ステップＳ１４１１でチャンネル情報を追加したのち、または、ステップＳ１４０９でＰＳＩ／ＳＩを取得できなかった場合（Ｓ１４０９でＮｏ）には、選局制御部１０６は、ストリーム処理部１０３にＰＳＩ／ＳＩの抽出を停止させる（Ｓ１４１２）。
【０１４８】
ステップＳ１４１２でＰＳＩ／ＳＩの抽出を停止したのち、選局制御部１０６は、ステップＳ１４０１で取得した物理チャンネルリストの全ての物理チャンネルを選択したか否かを判断する（Ｓ１４１３）。全ての物理チャンネルを選択している場合には（Ｓ１４１３でＹｅｓ）、処理を終了する。
【０１４９】
ステップＳ１４１３で全ての物理チャンネルを選択していない場合には（Ｓ１４１３でＮｏ）、選局制御部１０６は、ステップＳ１４０１で取得した物理チャンネルリストの中から、現在選択している物理チャンネルの次の物理チャンネルを選択し（Ｓ１４１４）、ステップＳ１４０４に進む。
【０１５０】
一方、前述のステップＳ１４０５で受信強度が閾値未満であった場合（Ｓ１４０５でＮｏ）、または、ステップＳ１４０６でフレームロックを検出しなかった場合（Ｓ１４０６でＮｏ）には、選局制御部１０６は、選択した物理チャンネルを含むチャンネル情報がチャンネル情報記憶部１０７に記憶されているか否かを判断する（Ｓ１４１５）。選択した物理チャンネルを含むチャンネル情報がチャンネル情報記憶部１０７に記憶されていない場合には（Ｓ１４１５でＮｏ）、前述のステップＳ１４１３に進む。
【０１５１】
ステップＳ１４１５で、選択した物理チャンネルを含むチャンネル情報がチャンネル情報記憶部１０７に記憶されている場合には（Ｓ１４１５でＹｅｓ）、選局制御部１０６は、選択した物理チャンネルを含むチャンネル情報の受信不可の回数を示すカウント数を１増加させる（Ｓ１４１６）。
【０１５２】
続いて、選局制御部１０６は、ステップＳ１４１６で更新した受信不可の回数を示すカウント数を、閾値（例えば５回）と比較する（Ｓ１４１７）。カウント数が閾値未満である場合には（Ｓ１４１７でＮｏ）、前述のステップＳ１４１３に進む。
【０１５３】
ステップＳ１４１７で受信不可の回数を示すカウント数が閾値以上である場合には（Ｓ１４１７でＹｅｓ）、選局制御部１０６は、ステップＳ１４１７でカウント数が閾値以上と判定した物理チャンネルを含むチャンネル情報を、チャンネル情報記憶部１０８より削除し（Ｓ１４１８）、前述のステップＳ１４１３に進む。
【０１５４】
一方、前述のステップＳ１４０７で、選択した物理チャンネルを含むチャンネル情報がチャンネル情報記憶部１０７に記憶されていた場合には（Ｓ１４０７でＹｅｓ）、選局制御部１０６は、選択した物理チャンネルを含むチャンネル情報の受信不可の回数を示すカウント数を０にする（Ｓ１４１９）。
【０１５５】
続いて、選局制御部１０６は、位置情報記憶部１１０より前回のスキャンを開始したときの位置情報と、今回のスキャンを開始したときの位置情報を取得し、前回のスキャンを開始したときの位置から今回のスキャンを開始したときの位置までの距離を、閾値（例えば１００ｋｍ）と比較する（Ｓ１４２０）。当該距離が閾値以上の場合には（Ｓ１４２０でＹｅｓ）、前述のステップＳ１４０８に進んでＰＳＩ／ＳＩの抽出を開始し、当該距離が閾値未満の場合には（Ｓ１４２０でＮｏ）、前述のステップＳ１４１３に進む。
【０１５６】
前述の実施の形態５のデジタル放送受信装置では、選択した物理チャンネルがチャンネル情報記憶部に存在する場合にはＰＳＩ／ＳＩの抽出を開始しないため、同一物理チャンネルで異なるサービスＩＤのデジタル放送が送信されている地域に移動した場合、そのデジタル放送のチャンネル情報を取得できない可能性がある。一方、同一物理チャンネルで異なるサービスＩＤのデジタル放送の電波が混在した場合、両者のデジタル放送が受信できなくなる可能性があることから、同一物理チャンネルで異なるサービスＩＤのデジタル放送は、互いに離れた地域で放送されると考えられる。そこで、この実施の形態６のデジタル放送受信装置では、離れた地域に移動した際に、選択した物理チャンネルがチャンネル情報記憶部に存在する場合でもＰＳＩ／ＳＩの抽出を行うことにより（図１６のステップＳ１４２０）、同一物理チャンネルで放送されている異なるサービスＩＤのデジタル放送のチャンネル情報を取得することを可能にしている。このように、この実施の形態６のデジタル放送受信装置では、実施の形態５のデジタル放送受信装置と比較して、同一物理チャンネルで異なるサービスＩＤのデジタル放送が送信されている地域に移動した場合であっても、そのデジタル放送のチャンネル情報を取得できない可能性を低減することができる。
【０１５７】
実施の形態７．
次に本発明の実施の形態７のデジタル放送受信装置について説明する。実施の形態７のデジタル放送受信装置の構成は、前述の実施の形態６のデジタル放送受信装置の構成と同様である。
【０１５８】
実施の形態７のデジタル放送受信装置の位置情報記憶部１１０は、図１７に一例を示すように、物理チャンネル毎に、前回の位置情報（前回物理チャネルを選択した際の位置情報）と今回の位置情報（今回同じ物理チャンネルを選択した際の位置情報）とを記憶している。
【０１５９】
実施の形態７のデジタル放送受信装置の選局制御部１０６の動作は、前述の実施の形態６のデジタル放送受信装置の動作とほぼ同様であるが、スキャンの処理手順が異なっている。
【０１６０】
図１８は、実施の形態７におけるデジタル放送受信装置の選局制御部１０６が行うスキャンの処理を示すフローチャートである。選局制御部１０６は、まず、不揮発性メモリ１００から、スキャンを実行する物理チャンネルのリストを取得する（Ｓ１６０１）。物理チャンネルのリストには、デジタル放送が送信されている可能性のある物理チャンネル全てが１つずつ含まれている。物理チャンネルのリストの物理チャンネルの並び順は、昇順でも降順でもそれ以外の並び順でもよい。
【０１６１】
続いて、選局制御部１０６は、ステップＳ１６０１で取得した物理チャンネルリストの先頭の物理チャンネルを選択する（Ｓ１６０２）。
【０１６２】
続いて、選局制御部１０６は、位置情報記憶部１１０の現在選択している物理チャンネルに対応する、前回の位置情報及び今回の位置情報の更新を行う（Ｓ１６０３）。更新に際しては、まず前回の位置情報の欄に、今回の位置情報の欄に記載された値を書き込み、次に今回の位置情報の欄に、位置情報取得部１０９（図１５）より取得した位置情報の値を書き込む。
【０１６３】
続いて、選局制御部１０６は、選択した物理チャンネルでチューナ部１０２の制御を行う（Ｓ１６０４）。
【０１６４】
続いて、選局制御部１０６は、チューナ部１０２から受信強度を取得し、取得した受信強度と閾値とを比較する（Ｓ１６０５）。受信強度が閾値未満であった場合には（Ｓ１６０５でＮｏ）、後述するステップＳ１６１５に進む。
【０１６５】
ステップＳ１６０５において受信強度が閾値以上であった場合には（Ｓ１６０５でＹｅｓ）、選局制御部１０６は、チューナ部１０２でフレームロックを検出したか否かを判断する（Ｓ１６０６）。フレームロックを検出しなかった場合には（Ｓ１６０６でＮｏ）、後述するステップＳ１６１５に進む。
【０１６６】
ステップＳ１６０６でフレームロックを検出した場合には（Ｓ１６０６でＹｅｓ）、選局制御部１０６は、選択した物理チャンネルを含むチャンネル情報がチャンネル情報記憶部１０７に記憶されているか否かを判断する（Ｓ１６０７）。選択した物理チャンネルを含むチャンネル情報がチャンネル情報記憶部１０７に記憶されている場合には（Ｓ１６０７でＹｅｓ）、後述するステップＳ１６１９に進む。
【０１６７】
ステップＳ１６０７で、選択した物理チャンネルを含むチャンネル情報がチャンネル情報記憶部１０７に記憶されていない場合には（Ｓ１６０７でＮｏ）、選局制御部１０６は、ストリーム処理部１０３にＰＳＩ／ＳＩ（すなわち、ＰＳＩ又はＳＩの少なくとも一方）の抽出を開始させる（Ｓ１６０８）。
【０１６８】
続いて、選局制御部１０６は、ステップＳ１６０８においてＰＳＩ／ＳＩの抽出を開始してから一定時間内にＰＳＩ／ＳＩを取得できたか否かを判断する（Ｓ１６０９）。一定時間内ＰＳＩ／ＳＩを取得できなかった場合には（Ｓ１６０９でＮｏ）、後述するステップＳ１６１２に進む。
【０１６９】
ステップＳ１６０９において一定時間内にＰＳＩ／ＳＩを取得できた場合には（Ｓ１６０９でＹｅｓ）、選局制御部１０６は、チャンネル情報を生成する（Ｓ１６１０）。チャンネル情報の物理チャンネルは、現在選択中の物理チャンネルとする。また、サービスＩＤは、取得したＰＳＩ／ＳＩより取得する。また、チャンネル情報として、物理チャンネル及びサービスＩＤ以外の情報として、network_id、original_network_id、TS_ID、ＴＳ名、サービス名等を保持している場合、これらの値は取得したＰＳＩ／ＳＩより取得する。また、受信不可の回数を示すカウント数は０とする。
【０１７０】
続いて、選局制御部１０６は、ステップＳ１６１０で生成したチャンネル情報をチャンネル情報記憶部１０７に追加する（Ｓ１６１１）。ステップＳ１６１０で取得したチャンネル情報と物理チャンネルが一致するチャンネル情報がチャンネル情報記憶部１０７に存在する場合、ステップＳ１６１０で取得したチャンネル情報を、物理チャンネルの一致するチャンネル情報に上書き保存する。
【０１７１】
ステップＳ１６１１でチャンネル情報を追加したのち、または、ステップＳ１６０９でＰＳＩ／ＳＩを取得できなかった場合（Ｓ１６０９でＮｏ）には、選局制御部１０６は、ストリーム処理部１０３にＰＳＩ／ＳＩの抽出を停止させる（Ｓ１６１２）。
【０１７２】
続いて、選局制御部１０６は、ステップＳ１６０１で取得した物理チャンネルリストの全ての物理チャンネルを選択したか否かを判断する（Ｓ１６１３）。全ての物理チャンネルを選択している場合には（Ｓ１６１３でＹｅｓ）、処理を終了する。
【０１７３】
ステップＳ１６１３において全ての物理チャンネルを選択していない場合には（Ｓ１６１３でＮｏ）、選局制御部１０６は、ステップＳ１６０１で取得した物理チャンネルリストの中から、現在選択している物理チャンネルの次の物理チャンネルを選択し（Ｓ１６１４）、前述のステップＳ１６０３に進む。
【０１７４】
一方、前述のステップＳ１６０５で受信強度が閾値未満であった場合（Ｓ１６０５でＮｏ）、または、ステップＳ１６０６でフレームロックを検出しなかった場合（Ｓ１６０６でＮｏ）には、選局制御部１０６は、選択した物理チャンネルを含むチャンネル情報がチャンネル情報記憶部１０７に記憶されているか否かを判断する（Ｓ１６１５）。選択した物理チャンネルを含むチャンネル情報がチャンネル情報記憶部１０７に記憶されていない場合には（Ｓ１６１５でＮｏ）、前述のステップＳ１６１３に進む。
【０１７５】
ステップＳ１６１５で、選択した物理チャンネルを含むチャンネル情報がチャンネル情報記憶部１０７に記憶されている場合には（Ｓ１６１５でＹｅｓ）、選局制御部１０６は、選択した物理チャンネルを含むチャンネル情報の受信不可の回数を示すカウント数を１増加させる（Ｓ１６１６）。
【０１７６】
続いて、選局制御部１０６は、ステップＳ１６１６で更新した受信不可の回数を示すカウント数を、閾値（例えば５回）と比較する（Ｓ１６１７）。受信不可の回数を示すカウント数が閾値未満である場合には、前述のステップＳ１６１３に進む。
【０１７７】
ステップＳ１６１７において受信不可の回数を示すカウント数が閾値以上である場合には（Ｓ１６１７でＹｅｓ）、選局制御部１０６は、ステップＳ１２１７でカウント数が閾値以上と判定したチャンネル情報を、チャンネル情報記憶部１０８より削除し（Ｓ１６１８）、前述のステップＳ１６１３に進む。
【０１７８】
一方、前述のステップＳ１６０７において、選択した物理チャンネルを含むチャンネル情報がチャンネル情報記憶部１０７に記憶されていた場合には（Ｓ１６０７でＹｅｓ）、選局制御部１０６は、選択した物理チャンネルを含むチャンネル情報の受信不可の回数を示すカウント数を０にする（Ｓ１６１９）。
【０１７９】
続いて、選局制御部１０６は、位置情報記憶部１１０より、選択している物理チャンネルの前回の位置情報及び今回の位置情報を取得し、前回の位置から今回の位置までの距離を閾値（例えば１００ｋｍ）と比較する（Ｓ１６２０）。前回の位置から今回の位置までの距離が閾値以上の場合には（Ｓ１６２０でＹｅｓ）、前述のステップＳ１６０８に進んでＰＳＩ／ＳＩの抽出を開始し、閾値未満の場合には、前述のステップＳ１６１３に進む。
【０１８０】
前述の実施の形態６のデジタル放送受信装置では、スキャンを開始するときのみに位置情報を取得するため（図１６のステップＳ１４０２参照）、スキャンを開始してから時間が経過すると、スキャンを開始したときの位置と現在の位置とに差が生じ、同一物理チャンネルで放送されている異なるサービスＩＤのデジタル放送のチャンネル情報を取得できない可能性がある。これに対し、この実施の形態７のデジタル放送受信装置では、物理チャンネルを選択する毎に位置情報を取得するため（図１８のステップＳ１６０３）、位置情報を取得したときの位置と現在の位置との差が小さくなる。そのため、実施の形態６のデジタル放送受信装置と比較して、同一物理チャンネルで放送されている異なるサービスＩＤのデジタル放送のチャンネル情報を取得できない可能性を低減することができる。
【０１８１】
実施の形態８．
次に本発明の実施の形態８のデジタル放送受信装置について説明する。図１９（Ａ）は、実施の形態８のデジタル放送受信装置の構成を示すブロック図である。実施の形態８のデジタル放送受信装置は、実施の形態１のデジタル放送受信装置の構成要素（図１）に加えて、走行距離計１１１と、走行距離記憶部１１２とを備えて構成される。
【０１８２】
走行距離計１１１は、車両の累積の走行距離を計測し、選局制御部１０６に通知する。この走行距離計１１１は、例えば車両に標準的に取り付けられているものである。
【０１８３】
走行距離記憶部１１２は、図１９（Ｂ）に一例を示すように、前回のスキャンを開始したときの累積の走行距離と、今回のスキャンを開始したときの累積の走行距離とを記憶している。
【０１８４】
選局制御部１０６は、走行距離計１１１から現在の走行距離を取得する。また、選局制御部１０６は、走行距離記憶部１１２から前回のスキャンを開始したときの走行距離及び今回のスキャンを開始したときの走行距離を取得する。また、選局制御部１０６は、走行距離記憶部１１２の、前回のスキャンを開始したときの走行距離及び今回のスキャンを開始したときの走行距離を更新する。
【０１８５】
実施の形態８のデジタル放送受信装置の選局制御部１０６の動作は、前述の実施の形態５のデジタル放送受信装置の動作とほぼ同様であるが、スキャンの処理手順が異なっている。
【０１８６】
図２０は、本発明の実施の形態８におけるデジタル放送受信装置の選局制御部１０６が行うスキャンの処理を示すフローチャートである。選局制御部１０６は、まず、不揮発性メモリ１００から、スキャンを実行する物理チャンネルのリストを取得する（Ｓ１８０１）。物理チャンネルのリストには、デジタル放送が送信されている可能性のある物理チャンネル全てが１つずつ含まれている。物理チャンネルのリストの物理チャンネルの並び順は、昇順でも降順でもそれ以外の並び順でもよい。
【０１８７】
続いて、選局制御部１０６は、走行距離記憶部１１２の更新を行う（Ｓ１８０２）。更新に際しては、まず前回のスキャンを開始したときの走行距離の欄に、今回のスキャンを開始したときの走行距離の欄に記載された値を書き込み、次に、今回のスキャンを開始したときの走行距離の欄に、走行距離計１１１より取得した位置情報の値を書き込む。
【０１８８】
続いて、選局制御部１０６は、ステップＳ１８０１で取得した物理チャンネルリストの先頭の物理チャンネルを選択する（Ｓ１８０３）。
【０１８９】
続いて、選局制御部１０６は、選択した物理チャンネルでチューナ部１０２の制御を行う（Ｓ１８０４）。
【０１９０】
続いて、選局制御部１０６は、チューナ部１０２から受信強度を取得し、受信強度を閾値と比較する（Ｓ１８０５）。受信強度が閾値未満である場合には（Ｓ１８０５）、ステップＳ１８１５に進む。
【０１９１】
ステップＳ１８０５において受信強度が閾値以上である場合には（Ｓ１８０５でＹｅｓ）、選局制御部１０６は、チューナ部１０２でフレームロックを検出したか否かを判断する（Ｓ１８０６）。フレームロックを検出しなかった場合には（Ｓ１８０６でＮｏ）、ステップＳ１８１５に進む。
【０１９２】
ステップＳ１８０６においてフレームロックを検出した場合には（Ｓ１８０６でＹｅｓ）、選局制御部１０６は、選択した物理チャンネルを含むチャンネル情報がチャンネル情報記憶部１０７に記憶されているか否かを判断する（Ｓ１８０７）。選択した物理チャンネルを含むチャンネル情報がチャンネル情報記憶部１０７に記憶されている場合には（Ｓ１８０７でＮｏ）、後述するステップＳ１８１９に進む。
【０１９３】
ステップＳ１８０７で、選択した物理チャンネルを含むチャンネル情報がチャンネル情報記憶部１０７に記憶されていない場合には（Ｓ１８０７でＮｏ）、選局制御部１０６は、ストリーム処理部１０３にＰＳＩ／ＳＩ（すなわち、ＰＳＩ又はＳＩの少なくとも一方）の抽出を開始させる（Ｓ１８０８）。
【０１９４】
続いて、選局制御部１０６は、ステップＳ１８０８においてＰＳＩ／ＳＩの抽出を開始してから一定時間内にＰＳＩ／ＳＩを取得できたか否かを判断する（Ｓ１８０９）。一定時間内にＰＳＩ／ＳＩを取得できなかった場合には（Ｓ１８０９でＮｏ）、後述するステップＳ１８１２に進む。
【０１９５】
ステップＳ１８０９で一定時間内にＰＳＩ／ＳＩを取得できた場合には（Ｓ１８０９でＹｅｓ）、選局制御部１０６は、チャンネル情報を生成する（Ｓ１８１１）。チャンネル情報の物理チャンネルは、現在選択中の物理チャンネルとする。また、チャンネル情報として、物理チャンネル及びサービスＩＤ以外の情報として、network_id、original_network_id、TS_ID、ＴＳ名、サービス名等を保持している場合、これらの値は取得したＰＳＩ／ＳＩより取得する。また、サービスＩＤは、取得したＰＳＩ／ＳＩより取得する。また、受信不可の回数を示すカウント数は０とする。
【０１９６】
続いて、選局制御部１０６は、ステップＳ１８１０で生成したチャンネル情報をチャンネル情報記憶部１０７に追加する（Ｓ１８１０）。このとき、ステップＳ１８１０で取得したチャンネル情報と物理チャンネルが一致するチャンネル情報がチャンネル情報記憶部１０７に存在する場合、ステップＳ１８１０で取得したチャンネル情報を、物理チャンネルの一致するチャンネル情報に上書き保存する。
【０１９７】
続いて、選局制御部１０６は、ストリーム処理部１０３にＰＳＩ／ＳＩの抽出を停止させる（Ｓ１８１２）。
【０１９８】
続いて、選局制御部１０６は、ステップＳ１８０１で取得した物理チャンネルリストの全ての物理チャンネルを選択したか否かを判断する（Ｓ１８１３）。全ての物理チャンネルを選択している場合には（Ｓ１８１３でＹｅｓ）、処理を終了する。
【０１９９】
ステップＳ１８１３で全ての物理チャンネルを選択していない場合には（Ｓ１８１３でＮｏ）、選局制御部１０６は、ステップＳ１８０１で取得した物理チャンネルリストの中から、現在選択している物理チャンネルの次の物理チャンネルを選択し（Ｓ１８１４）、前述のステップＳ１８０４に進む。
【０２００】
一方、前述のステップＳ１８０５で受信強度が閾値未満であった場合（Ｓ１８０５でＮｏ）、または、ステップＳ１８０６でフレームロックを検出しなかった場合（Ｓ１８０６でＮｏ）には、選局制御部１０６は、選択した物理チャンネルを含むチャンネル情報がチャンネル情報記憶部１０７に記憶されているか否かを判断する（Ｓ１８１５）。選択した物理チャンネルを含むチャンネル情報がチャンネル情報記憶部１０７に記憶されていない場合には（Ｓ１８１５でＮｏ）、ステップＳ１８１３に進む。
【０２０１】
ステップＳ１８１５で、選択した物理チャンネルを含むチャンネル情報がチャンネル情報記憶部１０７に記憶されている場合には（Ｓ１８１５でＹｅｓ）、選局制御部１０６は、選択した物理チャンネルを含むチャンネル情報の受信不可の回数を示すカウント数を１増加させる（Ｓ１８１６）。
【０２０２】
続いて、選局制御部１０６は、ステップＳ１８１６で更新した受信不可の回数を示すカウント数を、閾値（例えば５回）と比較する（Ｓ１８１７）。受信不可の回数を示すカウント数が閾値未満である場合には、前述のステップＳ１８１３に進む。
【０２０３】
ステップＳ１８１７で受信不可の回数を示すカウント数が閾値以上の場合（Ｓ１８１７でＹｅｓ）には、選局制御部１０６は、ステップＳ１８１７でカウント数が閾値以上と判定したチャンネル情報を、チャンネル情報記憶部１０８より削除し（Ｓ１８１８）、前述のステップＳ１８１３に進む。
【０２０４】
一方、前述のステップＳ１８０７で、選択した物理チャンネルを含むチャンネル情報がチャンネル情報記憶部１０７に記憶されている場合には（Ｓ１８０７でＹｅｓ）、選局制御部１０６は、選択した物理チャンネルを含むチャンネル情報の受信不可の回数を示すカウント数を０にする（Ｓ１８１９）。
【０２０５】
続いて、選局制御部１０６は、走行距離記憶部１１２より、前回のスキャンを開始したときの走行距離と、今回のスキャンを開始したときの走行距離とを取得し、これら走行距離の差を閾値（例えば１００ｋｍ）と比較する（Ｓ１８２０）。閾値以上の場合には（Ｓ１８２０でＹｅｓ）、前述のステップＳ１８０８に進んでＰＳＩ／ＳＩの抽出を開始し、閾値未満の場合には（Ｓ１８２０でＮｏ）、前述のステップＳ１８１３に進む。
【０２０６】
前述の実施の形態６のデジタル放送受信装置では、同一物理チャンネルで放送されている異なるサービスＩＤのデジタル放送のチャンネル情報をより確実に取得できるようにするために、位置情報取得部（図１５の位置情報取得部１０９）が必要であった。これに対し、この実施の形態８のデジタル放送受信装置では、車両に必ず取り付けられている走行距離計から取得できる走行距離を利用することで（図２０のステップＳ１８２０）、より簡単な装置構成で、同一物理チャンネルで放送されている異なるサービスＩＤのデジタル放送のチャンネル情報を取得できない可能性を低減することができる。
【０２０７】
実施の形態９．
次に本発明の実施の形態９のデジタル放送受信装置について説明する。実施の形態９のデジタル放送受信装置の構成は、前述の実施の形態８のデジタル放送受信装置の構成と同様である。
【０２０８】
実施の形態９のデジタル放送受信装置の走行距離記憶部１１２は、図２１に一例を示すように、物理チャンネル毎に、前回の走行距離（前回物理チャンネルを選択した際の累積走行距離）と今回の走行距離（今回同じ物理チャンネルを選択した際の累積走行距離）とを記憶する。
【０２０９】
実施の形態９のデジタル放送受信装置の選局制御部１０６の動作は、前述の実施の形態８のデジタル放送受信装置の動作とほぼ同様であるが、スキャンの処理手順が異なっている。
【０２１０】
図２２は、実施の形態９におけるデジタル放送受信装置の選局制御部１０６が行うスキャンの処理を示すフローチャートである。選局制御部１０６は、まず、不揮発性メモリ１００から、スキャンを実行する物理チャンネルのリストを取得する（Ｓ２００１）。物理チャンネルのリストには、デジタル放送が送信されている可能性のある物理チャンネル全てが１つずつ含まれている。物理チャンネルのリストの物理チャンネルの並び順は、昇順でも降順でもそれ以外の並び順でもよい。
【０２１１】
続いて、選局制御部１０６は、ステップＳ２００１で取得した物理チャンネルリストの先頭の物理チャンネルを選択する（Ｓ２００２）。
【０２１２】
続いて、選局制御部１０６は、走行距離記憶部１１２の現在選択している物理チャンネルに対応する、前回の走行距離及び今回の走行距離の更新を行う（Ｓ２００３）。更新に際しては、まず前回の走行距離の欄に、今回の走行距離の欄に記載された値を書き込み、次に、今回の走行距離の欄に、走行距離計１１１より取得した走行距離の値を書き込む。
【０２１３】
続いて、選局制御部１０６は、選択した物理チャンネルでチューナ部１０２の制御を行う（Ｓ２００４）。
【０２１４】
続いて、選局制御部１０６は、チューナ部１０２から受信強度を取得し、取得した受信強度を閾値と比較する（Ｓ２００５）。受信強度が閾値未満である場合には（Ｓ２００５でＮｏ）、後述するステップＳ２０１５に進む。
【０２１５】
ステップＳ２００５において、受信強度が閾値以上である場合には（Ｓ２００５でＹｅｓ）、選局制御部１０６は、チューナ部１０２でフレームロックを検出したか否かを判断する（Ｓ２００６）。フレームロックを検出しなかった場合には（Ｓ２００５でＮｏ）、後述するステップＳ２０１５に進む。
【０２１６】
ステップＳ２００６においてフレームロックを検出した場合には（Ｓ２００６でＹｅｓ）、選局制御部１０６は、選択した物理チャンネルを含むチャンネル情報がチャンネル情報記憶部１０７に記憶されているか否かを判断する（Ｓ２００７）。選択した物理チャンネルを含むチャンネル情報がチャンネル情報記憶部１０７に記憶されている場合には（Ｓ２００７でＹｅｓ）、後述するステップＳ２０１９に進む。
【０２１７】
ステップＳ２００７において、選択した物理チャンネルを含むチャンネル情報がチャンネル情報記憶部１０７に記憶されていない場合には（Ｓ２００７でＮｏ）、選局制御部１０６は、ストリーム処理部１０３にＰＳＩ／ＳＩ（すなわち、ＰＳＩ及びＳＩの少なくとも一方）の抽出を開始させる（Ｓ２００８）。
【０２１８】
続いて、選局制御部１０６は、ステップＳ２００８においてＰＳＩ／ＳＩの抽出を開始してから一定時間内にＰＳＩ／ＳＩを取得できたか否かを判断する（Ｓ２００９）。一定時間内にＰＳＩ／ＳＩを取得できなかった場合には（Ｓ２００９でＮｏ）、ステップＳ２０１２に進む。
【０２１９】
ステップＳ２００９で一定時間内にＰＳＩ／ＳＩを取得できた場合には（Ｓ２００９でＹｅｓ）、選局制御部１０６は、チャンネル情報を生成する（Ｓ２０１０）。チャンネル情報の物理チャンネルは、現在選択中の物理チャンネルとする。また、サービスＩＤは、取得したＰＳＩ／ＳＩより取得する。また、チャンネル情報として、物理チャンネル及びサービスＩＤ以外の情報として、network_id、original_network_id、TS_ID、ＴＳ名、サービス名等を保持している場合、これらの値は取得したＰＳＩ／ＳＩより取得する。また、受信不可の回数をカウント数は０とする。
【０２２０】
続いて、選局制御部１０６は、ステップＳ２０１０で生成したチャンネル情報をチャンネル情報記憶部１０７に追加する（Ｓ２０１１）。ステップＳ２０１０で取得したチャンネル情報と物理チャンネルが一致するチャンネル情報がチャンネル情報記憶部１０７に存在する場合、ステップＳ２０１０で取得したチャンネル情報を、物理チャンネルの一致するチャンネル情報に上書き保存する。
【０２２１】
ステップＳ２０１１でチャンネル情報を追加したのち、または、ステップＳ２００９でＰＳＩ／ＳＩを取得できなかった場合（Ｓ２００９でＮｏ）には、選局制御部１０６は、ストリーム処理部１０３にＰＳＩ／ＳＩの抽出を停止させる（Ｓ２０１２）。
【０２２２】
続いて、選局制御部１０６は、ステップＳ２００１で取得した物理チャンネルリストの全ての物理チャンネルを選択したか否かを判断する（Ｓ２０１３）。全ての物理チャンネルを選択している場合には（Ｓ２０１３でＹｅｓ）、処理を終了する。
【０２２３】
ステップＳ２０１３で全ての物理チャンネルを選択していない場合には（Ｓ２０１３でＮｏ）、選局制御部１０６は、ステップＳ２００１で取得した物理チャンネルリストの中から、現在選択している物理チャンネルの次の物理チャンネルを選択し（Ｓ２０１４）、前述のステップＳ２００３に進む。
【０２２４】
一方、前述のステップＳ２００５で受信強度が閾値未満の場合（Ｓ２００５でＮｏ）、または、ステップＳ２００６でフレームロックを検出しなかった場合（Ｓ２００６でＮｏ）には、選局制御部１０６は、選択した物理チャンネルを含むチャンネル情報がチャンネル情報記憶部１０７に記憶されているか否かを判断する（Ｓ２０１５）。選択した物理チャンネルを含むチャンネル情報がチャンネル情報記憶部１０７に記憶されていない場合には（Ｓ２０１５でＮｏ）、前述のステップＳ２０１３に進む。
【０２２５】
ステップＳ２０１５において、選択した物理チャンネルを含むチャンネル情報がチャンネル情報記憶部１０７に記憶されている場合には（Ｓ２０１５でＹｅｓ）、選局制御部１０６は、選択した物理チャンネルを含むチャンネル情報の受信不可の回数を示すカウント数を１増加させる（Ｓ２０１６）。
【０２２６】
続いて、選局制御部１０６は、ステップＳ２０１６で更新した受信不可の回数を示すカウント数を閾値（例えば５回）と比較する（Ｓ２１０７）。受信不可の回数を示すカウント数が閾値未満である場合には、前述のステップＳ２０１３に進む。
【０２２７】
ステップＳ２０１７において受信不可の回数を示すカウント数が閾値以上である場合には（Ｓ２０１７でＹｅｓ）、選局制御部１０６は、ステップＳ２０１７でカウント数が閾値以上と判定したチャンネル情報を、チャンネル情報記憶部１０８より削除し（Ｓ２０１８）、前述のステップＳ２０１３に進む。
【０２２８】
一方、前述のステップＳ２００７において、選択した物理チャンネルを含むチャンネル情報がチャンネル情報記憶部１０７に記憶されている場合には（Ｓ２００７でＹｅｓ）、選局制御部１０６は、選択した物理チャンネルを含むチャンネル情報の受信不可の回数を示すカウント数を０にする（Ｓ２０１９）。
【０２２９】
続いて、選局制御部１０６は、走行距離記憶部１１２より、選択している物理チャンネルについての前回の走行距離及び今回の走行距離を取得し、前回の走行距離と今回の走行距離との差を閾値（例えば１００ｋｍ）と比較する（Ｓ２０２０）。前回の走行距離と今回の走行距離との差が閾値以上の場合には（Ｓ２０２０でＹｅｓ）、前述のステップＳ２００８に進んでＰＳＩ／ＳＩの抽出を開始し、走行距離の差が閾値未満の場合には（Ｓ２０２０でＮｏ）、前述のステップＳ２０１３に進む。
【０２３０】
前述の実施の形態８のデジタル放送受信装置では、スキャンを開始するときのみに走行距離を取得する（図２０のステップＳ１８０２参照）。そのため、スキャンを開始してから時間が経過すると、スキャンを開始したときの走行距離と、現在の走行距離とに差が生じ、同一物理チャンネルで放送されている異なるサービスＩＤのデジタル放送のチャンネル情報を取得できない可能性がある。これに対し、実施の形態９のデジタル放送受信装置では、物理チャンネルを選択する毎に走行距離を取得（更新）するため（図２２のステップＳ２００３）、走行距離を取得したときの走行距離と現在の走行距離との差が小さくなる。そのため、実施の形態９のデジタル放送受信装置では、実施の形態８のデジタル放送受信装置と比較して、同一物理チャンネルで放送されている異なるサービスＩＤのデジタル放送のチャンネル情報を取得できない可能性を低減することができる。
【０２３１】
実施の形態１０．
次に本発明の実施の形態１０のデジタル放送受信装置について説明する。図２３（Ａ）は、実施の形態１０のデジタル放送受信装置の構成を示すブロック図である。実施の形態１０のデジタル放送受信装置は、実施の形態１のデジタル放送受信装置の構成要素に加えて、時刻管理部１１３と、時刻記憶部１１４とを備えて構成される。
【０２３２】
時刻管理部１１３は、現在の時刻を管理し、選局制御部１０６に通知する。また、時刻管理部１１３の時刻は、選局管理部１０６により更新することができる。
【０２３３】
時刻記憶部１１４は、図２３（Ｂ）に一例を示すように、前回のスキャンを開始したときの時刻と、今回のスキャンを開始したときの時刻とを記憶する。
【０２３４】
選局制御部１０６は、時刻管理部１１３から現在の時刻を取得する。また、選局制御部１０６は、時刻記憶部１１４から、前回のスキャンを開始したときの時刻及び今回のスキャンを開始したときの時刻を取得する。また、選局制御部１０６は、時刻記憶部１１４の、前回のスキャンを開始したときの時刻及び今回のスキャンを開始したときの時刻を更新する。
【０２３５】
実施の形態１０のデジタル放送受信装置の選局制御部１０６の動作は、前述の実施の形態５のデジタル放送受信装置の動作とほぼ同様であるが、スキャンの処理手順が異なっている。
【０２３６】
図２４は、本発明の実施の形態１０におけるデジタル放送受信装置の選局制御部１０６が行うスキャンの処理を示すフローチャートである。選局制御部１０６は、まず、不揮発性メモリ１００から、スキャンを実行する物理チャンネルのリストを取得する（Ｓ２２０１）。物理チャンネルのリストには、デジタル放送が送信されている可能性のある物理チャンネル全てが１つずつ含まれている。物理チャンネルのリストの物理チャンネルの並び順は、昇順でも降順でもそれ以外の並び順でもよい。
【０２３７】
続いて、選局制御部１０６は、時刻記憶部１１４の更新を行う（Ｓ２２０２）。更新に際して、前回のスキャンを開始したときの時刻の欄に、今回のスキャンを開始したときの時刻の欄に記載された値を書き込み、次に今回のスキャンを開始したときの時刻の欄に、時刻管理部１１３より取得した時刻の値を代入する。
【０２３８】
続いて、選局制御部１０６は、ステップＳ２２０１で取得した物理チャンネルリストの先頭の物理チャンネルを選択する（Ｓ２２０３）。
【０２３９】
続いて、選局制御部１０６は、選択した物理チャンネルでチューナ部１０２の制御を行う（Ｓ２２０４）。
【０２４０】
続いて、選局制御部１０６は、チューナ部１０２から受信強度を取得し、受信強度を閾値と比較する（Ｓ２２０５）。受信強度が閾値未満である場合には（Ｓ２２１５でＮｏ）、後述するステップＳ２２１５に進む。
【０２４１】
ステップＳ２２０５で受信強度が閾値以上である場合には（Ｓ２２０５でＹｅｓ）、選局制御部１０６は、チューナ部１０２でフレームロックを検出したか否かを判断する（Ｓ２２０６）。フレームロックを検出しなかった場合には（Ｓ２２０６でＮｏ）、後述するステップＳ２２１５に進む。
【０２４２】
ステップＳ２２０６でフレームロックを検出した場合には（Ｓ２２０６でＹｅｓ）、選局制御部１０６は、選択した物理チャンネルを含むチャンネル情報がチャンネル情報記憶部１０７に記憶されているか否かを判断する（Ｓ２２０７）。選択した物理チャンネルを含むチャンネル情報がチャンネル情報記憶部１０７に記憶されている場合には（Ｓ２２０７でＮｏ）、後述するステップＳ２２１９に進む。
【０２４３】
ステップＳ２２０７で、選択した物理チャンネルを含むチャンネル情報がチャンネル情報記憶部１０７に記憶されていない場合には（Ｓ２２０７でＹｅｓ）、選局制御部１０６は、ストリーム処理部１０３にＰＳＩ／ＳＩ（すなわち、ＰＳＩ又はＳＩの少なくとも一方）の抽出を開始させる（Ｓ２２０８）。
【０２４４】
続いて、選局制御部１０６は、ステップＳ１８０８においてＰＳＩ／ＳＩの抽出を開始してから一定時間内にＰＳＩ／ＳＩを取得できたか否かを判断する（Ｓ２２０９）。一定時間内にＰＳＩ／ＳＩを取得できなかった場合には（Ｓ２２０９でＮｏ）、後述するステップＳ２２１２に進む。
【０２４５】
ステップＳ２２０９で一定時間内にＰＳＩ／ＳＩを取得できた場合には（Ｓ２２０９でＹｅｓ）、選局制御部１０６は、チャンネル情報を生成する（Ｓ２２１０）。チャンネル情報の物理チャンネルは、現在選択中の物理チャンネルとする。また、サービスＩＤは、取得したＰＳＩ／ＳＩより取得する。また、チャンネル情報として、物理チャンネル及びサービスＩＤ以外の情報として、network_id、original_network_id、TS_ID、ＴＳ名、サービス名等を保持している場合、これらの値は取得したＰＳＩ／ＳＩより取得する。また、受信不可の回数を示すカウント数は０とする。
【０２４６】
続いて、選局制御部１０６は、ステップＳ２２１０で生成したチャンネル情報をチャンネル情報記憶部１０７に追加する（Ｓ２２１１）。このとき、ステップＳ１８１０で取得したチャンネル情報と物理チャンネルが一致するチャンネル情報がチャンネル情報記憶部１０７に存在する場合、ステップＳ２２１０で取得したチャンネル情報を、物理チャンネルの一致するチャンネル情報に上書き保存する。
【０２４７】
ステップＳ２２１１でチャンネル情報を追加したのち、または、ステップＳ２２０９でＰＳＩ／ＳＩを取得できなかった場合には（Ｓ２２０９でＮｏ）、選局制御部１０６は、ストリーム処理部１０３にＰＳＩ／ＳＩの抽出を停止させる（Ｓ２２１２）。
【０２４８】
続いて、選局制御部１０６は、ステップＳ２２０１で取得した物理チャンネルリストの全ての物理チャンネルを選択したか否かを判断する（Ｓ２２１３）。全ての物理チャンネルを選択している場合には（Ｓ２２１３でＹｅｓ）、処理を終了する。
【０２４９】
ステップＳ２２１３で全ての物理チャンネルを選択していない場合には（Ｓ２２１３でＮｏ）、選局制御部１０６は、ステップＳ２２０１で取得した物理チャンネルリストの中から、現在選択している物理チャンネルの次の物理チャンネルを選択し（Ｓ２２１４）、前述のステップＳ２２０４に進む。
【０２５０】
一方、前述のステップ２２０５で受信強度が閾値未満の場合（Ｓ２２０５でＮｏ）、または、ステップ２２０６でフレームロックを検出しなかった場合（Ｓ２２０６でＮｏ）には、選局制御部１０６は、選択した物理チャンネルを含むチャンネル情報がチャンネル情報記憶部１０７に記憶されているか否かを判断する（Ｓ２２１５）。選択した物理チャンネルを含むチャンネル情報がチャンネル情報記憶部１０７に記憶されていない場合には（Ｓ２２１５でＮｏ）、前述のステップＳ２２１３に進む。
【０２５１】
ステップＳ２２１５で、選択した物理チャンネルを含むチャンネル情報がチャンネル情報記憶部１０７に記憶されている場合には（Ｓ２２１５でＹｅｓ）、選局制御部１０６は、選択した物理チャンネルを含むチャンネル情報の受信不可の回数を示すカウント数を１増加させる（Ｓ２２１６）。
【０２５２】
続いて、選局制御部１０６は、ステップＳ２２１６で更新した受信不可の回数のカウント数を閾値（例えば５回）と比較する（Ｓ２２１７）。受信不可の回数が閾値未満である場合には（Ｓ２２１７でＮｏ）、前述のステップＳ２２１３に進む。
【０２５３】
ステップＳ２２１７で受信不可の回数を示すカウント数が閾値以上である場合には（Ｓ２２１７でＹｅｓ）、選局制御部１０６は、ステップＳ２２１７でカウント数が閾値以上と判定したチャンネル情報を、チャンネル情報記憶部１０８より削除し（Ｓ２２１８）、前述のステップＳ２２１３に進む。
【０２５４】
一方、前述のステップＳ２２０７で、選択した物理チャンネルを含むチャンネル情報がチャンネル情報記憶部１０７に記憶されている場合には（Ｓ２２０７でＹｅｓ）、選局制御部１０６は、選択した物理チャンネルを含むチャンネル情報の受信不可の回数を０にする（Ｓ２２１９）。
【０２５５】
続いて、選局制御部１０６は、時刻記憶部１１４より前回のスキャンを開始したときの時刻と、今回のスキャンを開始したときの時刻を取得し、前回のスキャンを開始したときの時刻と、今回のスキャンを開始したときの時刻との差を閾値（例えば１時間）と比較する（Ｓ２２２０）。当該時刻差が閾値以上の場合には（Ｓ２２２０でＹｅｓ）、ステップＳ２２０８に進んでＰＳＩ／ＳＩの抽出を開始し、当該時刻差が閾値未満の場合には（Ｓ２２２０でＮｏ）、前述のステップＳ２２１３に進む。
【０２５６】
前述の実施の形態６のデジタル放送受信装置では、同一物理チャンネルで放送されている異なるサービスＩＤのデジタル放送のチャンネル情報をより確実に取得できるようにするため、位置情報取得部（図１５の位置情報取得部１０９）が必要であった。これに対し、実施の形態１０のデジタル放送受信装置では、時刻情報に基づいて（図２４のステップＳ２２２０）、同一物理チャンネルで放送されている異なるサービスＩＤのデジタル放送のチャンネル情報を取得できない可能性を低減している。時刻管理部は、電子番組表（Electric  Program  Guide：ＥＰＧ）等の機能を実現するために一般的なデジタル放送受信装置に装備されると考えられる。すなわち、実施の形態１０のデジタル放送受信装置は、デジタル放送受信装置に一般的に装備されている時刻管理部を用いることで、より簡単な装置構成で、同一物理チャンネルで放送されている異なるサービスＩＤのデジタル放送のチャンネル情報を取得できない可能性を低減することができる。
【０２５７】
また、前述の実施の形態８のデジタル放送受信装置では、自動車運搬車及び船舶等で車両を運搬した場合（すなわち車両自身が走行しない場合）、走行距離計の走行距離が更新されないため、同一物理チャンネルで放送されている異なるサービスＩＤのデジタル放送のチャンネル情報を取得できない可能性がある。これに対し、実施の形態１０のデジタル放送受信装置では、自動車運搬車及び船舶等で車両を運搬した場合でも、時刻管理部の時刻は更新されるため、同一物理チャンネルで放送されている異なるサービスＩＤのデジタル放送のチャンネル情報を取得できない可能性を低減することができる。そのため、実施の形態１０のデジタル放送受信装置は、実施の形態８のデジタル放送受信装置と比較して、より確実に、同一物理チャンネルで放送されている異なるサービスＩＤのデジタル放送のチャンネル情報を取得できない可能性を低減することができる。
【０２５８】
実施の形態１１．
次に本発明の実施の形態１１のデジタル放送受信装置について説明する。実施の形態１１のデジタル放送受信装置の構成は、前述の実施の形態１０のデジタル放送受信装置の構成と同様である。
【０２５９】
実施の形態１１のデジタル放送受信装置の時刻記憶部１１４は、図２５に一例を示すように、物理チャンネル毎に、前回物理チャンネルを選択したときの時刻（以下、前回の時刻）と、今回同じ物理チャンネルを選択したときの時刻（以下、今回の時刻）とを記憶している。
【０２６０】
実施の形態１１のデジタル放送受信装置の選局制御部１０６の動作は、前述の実施の形態１０のデジタル放送受信装置とほぼ同様であるが、スキャンの処理手順が異なっている。
【０２６１】
図２６は、実施の形態１１におけるデジタル放送受信装置の選局制御部１０６が行うスキャンの処理を示すフローチャートである。選局制御部１０６は、まず、不揮発性メモリ１０より、スキャンを実行する物理チャンネルのリストを取得する（Ｓ２４０１）。物理チャンネルのリストには、デジタル放送が送信されている可能性のある物理チャンネル全てが１つずつ含まれている。物理チャンネルのリストの物理チャンネルの並び順は、昇順でも降順でもそれ以外の並び順でもよい。
【０２６２】
続いて、選局制御部１０６は、ステップＳ２４０１で取得した物理チャンネルリストの先頭の物理チャンネルを選択する（Ｓ２４０２）。
【０２６３】
続いて、選局制御部１０６は、時刻管理部１１４の現在選択している物理チャンネルについての、前回の時刻及び今回の時刻の更新を行う（Ｓ２４０３）。更新では、まず前回の時刻の欄に今回の時刻の欄に記載された値を書き込み、次に今回の時刻の欄に時刻管理部１１３より取得した時刻の値を書き込む。
【０２６４】
続いて、選局制御部１０６は、選択した物理チャンネルでチューナ部１０２の制御を行う（Ｓ２４０４）。
【０２６５】
続いて、選局制御部１０６は、チューナ部１０２から受信強度を取得し、取得した受信強度を閾値と比較する（Ｓ２４０５）。受信強度が閾値未満である場合には（Ｓ２４０５でＮｏ）、後述するステップＳ２４１５に進む。
【０２６６】
ステップＳ２４０５で受信強度が閾値以上である場合には（Ｓ２４０５でＹｅｓ）、選局制御部１０６は、チューナ部１０２でフレームロックを検出したか否かを判断する（Ｓ２４０６）。フレームロックを検出しなかった場合には（Ｓ２４０６でＮｏ）、後述するステップＳ２４１５に進む。
【０２６７】
ステップＳ２４０６でフレームロックを検出した場合には（Ｓ２４０６でＹｅｓ）、選局制御部１０６は、選択した物理チャンネルを含むチャンネル情報がチャンネル情報記憶部１０７に記憶されているか否かを判断する（Ｓ２４０７）。選択した物理チャンネルを含むチャンネル情報がチャンネル情報記憶部１０７に記憶されている場合には（Ｓ２４０７でＹｅｓ）、後述するステップＳ２４１９に進む。
【０２６８】
ステップＳ２４０７で、選択した物理チャンネルを含むチャンネル情報がチャンネル情報記憶部１０７に記憶されていない場合には（Ｓ２４０７でＮｏ）、選局制御部１０６は、ストリーム処理部１０３にＰＳＩ／ＳＩ（すなわち、ＰＳＩ又はＳＩの少なくとも一方）の抽出を開始させる（Ｓ２４０８）。
【０２６９】
続いて、選局制御部１０６は、ステップＳ２４０８においてＰＳＩ／ＳＩの抽出を開始してから一定時間内にＰＳＩ／ＳＩを取得できたか否かを判断する（Ｓ２４０９）。ＰＳＩ／ＳＩを取得できなかった場合には（Ｓ２４１２でＮｏ）、後述するステップＳ２４１２に進む。
【０２７０】
ステップＳ２４０９においてＰＳＩ／ＳＩを取得できた場合には（Ｓ２４０９でＹｅｓ）、選局制御部１０６は、チャンネル情報を生成する（Ｓ２４１０）。チャンネル情報の物理チャンネルは、現在選択中の物理チャンネルとする。また、サービスＩＤは、取得したＰＳＩ／ＳＩより取得する。また、チャンネル情報として、物理チャンネル及びサービスＩＤ以外の情報として、network_id、original_network_id、TS_ID、ＴＳ名、サービス名等を保持している場合、これらの値は取得したＰＳＩ／ＳＩより取得する。また、受信不可の回数を示すカウント数は０とする。
【０２７１】
続いて、選局制御部１０６は、ステップＳ２４１０で生成したチャンネル情報をチャンネル情報記憶部１０７に追加する（Ｓ２４１１）。このとき、ステップＳ２４１０で取得したチャンネル情報と物理チャンネルが一致するチャンネル情報がチャンネル情報記憶部１０７に存在する場合には、ステップＳ２４１０で取得したチャンネル情報を、物理チャンネルの一致するチャンネル情報に上書き保存する。
【０２７２】
ステップＳ２４１１でチャンネル情報を追加したのち、または、ステップＳ２４０９でＰＳＩ／ＳＩが取得できなかった場合（Ｓ２４０９でＮｏ）には、選局制御部１０６は、ストリーム処理部１０３にＰＳＩ／ＳＩの抽出を停止させる（Ｓ２４１２）。
【０２７３】
続いて、選局制御部１０６は、ステップＳ２４０１で取得した物理チャンネルリストの全ての物理チャンネルを選択したか否かを判断する（Ｓ２４１３）。全ての物理チャンネルを選択している場合には（Ｓ２４１３でＹｅｓ）、処理を終了する。
【０２７４】
ステップＳ２４１３で全ての物理チャンネルを選択していない場合には（Ｓ２４１３でＮｏ）、選局制御部１０６は、ステップＳ２４０１で取得した物理チャンネルリストの中から、現在選択している物理チャンネルの次の物理チャンネルを選択し（Ｓ２４１４）、前述のステップＳ２４０３に進む。
【０２７５】
一方、前述のステップＳ２４０５で受信強度が閾値未満の場合（Ｓ２４０５でＮｏ）、または、ステップＳ２４０６でフレームロックを検出しなかった場合（Ｓ２４０６でＮｏ）には、選局制御部１０６は、選択した物理チャンネルを含むチャンネル情報がチャンネル情報記憶部１０７に記憶されているか否かを判断する（Ｓ２４１５）。選択した物理チャンネルを含むチャンネル情報がチャンネル情報記憶部１０７に記憶されていない場合には（Ｓ２４１５でＮｏ）、前述のステップＳ２４１３に進む。
【０２７６】
一方、ステップＳ２４１５で、選択した物理チャンネルを含むチャンネル情報がチャンネル情報記憶部１０７に記憶されている場合には（Ｓ２４１５でＹｅｓ）、選局制御部１０６は、選択した物理チャンネルを含むチャンネル情報の受信不可の回数を示すカウント数を１増加させる（Ｓ２４１６）。
【０２７７】
続いて、選局制御部１０６は、ステップＳ２４１６で更新した受信不可の回数を示すカウント数を閾値（例えば５回）と比較する（Ｓ２４１７）。受信不可の回数を示すカウント数が閾値未満である場合には（Ｓ２４１７でＮｏ）、前述のステップＳ２４１３に進む。
【０２７８】
ステップＳ２４１７で受信不可の回数を示すカウント数が閾値以上である場合には（Ｓ２４１７でＹｅｓ）、選局制御部１０６は、ステップＳ２４１７でカウント数が閾値以上と判定したチャンネル情報を、チャンネル情報記憶部１０８より削除し（Ｓ２４１８）、前述のステップＳ２４１３に進む。
【０２７９】
一方、前述のステップＳ２４０７で、選択した物理チャンネルを含むチャンネル情報がチャンネル情報記憶部１０７に記憶されていた場合には（Ｓ２４０７でＹｅｓ）、選局制御部１０６は、選択した物理チャンネルを含むチャンネル情報の受信不可の回数を示すカウント数を０にする（ステップＳ２４１９）。
【０２８０】
続いて、選局制御部１０６は、時刻記憶部１１４より、選択している物理チャンネルの前回の時刻及び今回の時刻を取得し、前回の時刻と今回の時刻との差を閾値（例えば１時間）と比較する（ステップＳ２４２０）。時刻差が閾値以上の場合（Ｓ２４２０でＹｅｓ）、前述のステップＳ２４０８に進んでＰＳＩ／ＳＩの抽出を開始し、時刻差が閾値未満の場合（Ｓ２４２０でＮｏ）には、前述のステップＳ２４１３に進む。
【０２８１】
前述の実施の形態１０のデジタル放送受信装置では、スキャンを開始するときのみに時刻を取得するため（図２４のＳ２２０２参照）、スキャンを開始してから時間が経過すると、スキャンを開始したときの時刻と、現在の時刻とに差が生じ、同一物理チャンネルで放送されている異なるサービスＩＤのデジタル放送のチャンネル情報を取得できない可能性がある。これに対し、この実施の形態１１のデジタル放送受信装置では、物理チャンネルを選択する毎に時刻を取得するため（図２６のＳ２４０３）、時刻を取得したときの時刻と現在の時刻との差が小さくすることができる。そのため、実施の形態１１のデジタル放送受信装置では、実施の形態１０のデジタル放送受信装置と比較して、より確実に、同一物理チャンネルで放送されている異なるサービスＩＤのデジタル放送のチャンネル情報を取得できない可能性を低減することができる。
【０２８２】
実施の形態１２．
次に、本発明の実施の形態１２のデジタル放送受信装置について説明する。図２７は、実施の形態１２のデジタル放送受信装置の構成を示すブロック図である。実施の形態１２のデジタル放送受信装置は、実施の形態１０のデジタル放送受信装置の構成要素に加えて、第２のアンテナ部１１５と、第２のチューナ部１１６と、デマルチプレクス部１１７とを備えて構成される。なお、２つ存在するアンテナ部、及びチューナ部を区別するため、以下では、アンテナ部１０１を第１のアンテナ部１０１とよび、チューナ部１０２を第１のチューナ部１０２と呼ぶ。
【０２８３】
第２のアンテナ部１１５は、放送局から送信されるデジタル放送信号を受信可能である。第２のアンテナ部１１５によって受信されたデジタル放送信号は、第２のチューナ部１１６に入力される。第２のチューナ部１１６は、第２のアンテナ部１１５から入力されたデジタル放送信号から特定の物理チャンネルの信号を抽出し、その信号の復調及び誤り訂正を行い、ＴＳをデマルチプレクス部１１７に出力する。
【０２８４】
第２のチューナ部１１６が、第２のアンテナ部１１５から与えられるデジタル放送信号のうちのいずれの物理チャンネルの信号を抽出するかは、選局制御部１０６によって制御される。
【０２８５】
第２のチューナ部１１６は、デジタル放送信号を抽出している物理チャンネルの受信強度を表す受信強度情報、受信Ｃ／Ｎ比情報、ＰＬＬロック情報、フレームロック情報、及び誤り率情報の各種情報のうちの少なくともいずれか１つを出力し、選局制御部１０６に通知する。
【０２８６】
デマルチプレクス部１１７は、第２のチューナ部１１６から与えられるＴＳから、ＰＳＩ及びＳＩを抽出し、抽出したＰＳＩ及びＳＩを選局制御部１０６に通知する。
【０２８７】
第２のチューナ部１１６から与えられるＴＳに含まれるＰＳＩ及びＳＩのうち、デマルチプレクス部１１７がどのＰＳＩ及びＳＩを抽出するかは、選局制御部１０６によって制御される。
【０２８８】
第１のアンテナ部１０１、第１のチューナ部１０２、ストリーム処理部１０３及び映像音声出力部１０４は、第１の系統１１８を構成している。また、第２のアンテナ部１１５、第２のチューナ部１１６及びデマルチプレクス部１１７は、第２の系統１２０を構成している。ユーザ指示受信部１０５、選局制御部１０６、チャンネル情報記憶部１０７、時刻管理部１１３及び時刻記憶部１１４は、第１の系統１１８及び第２の系統１２０の両方を制御するための共通部１１９を構成している。
【０２８９】
図２８は、実施の形態１２におけるデジタル放送受信装置の選局制御部１０６によって制御される第１の系統１１８及び共通部１１９の動作を示すフローチャートである。
【０２９０】
図２８に示すフローチャートは、デジタル放送受信装置の電源がＯＮされることにより処理を開始する（ｓｔａｒｔ）。まず、選局制御部１０６は、電源がＯＦＦされる前に選択されていたデジタル放送について、選局処理を行う（Ｓ２６０１）。選局処理の詳細は、実施の形態１で説明した通りである。
【０２９１】
次に、選局制御部１０６は、ユーザ指示受信部１０５からの指示を待つ（Ｓ２６０２）。
【０２９２】
ステップＳ２６０２でユーザからの指示があると、選局制御部１０６は選局停止処理を行う（ステップＳ２６０３）。選局停止処理の詳細は、本発明の実施の形態１で説明したとおりである。
【０２９３】
続いて、選局制御部１０６は、ステップＳ２６０２でユーザが選択したデジタル放送について、選局処理を行い（ステップＳ２６０４）、そののち、前述のステップＳ２６０２に進んでユーザからの指示を待つ。
【０２９４】
図２９は、実施の形態１２におけるデジタル放送受信装置の選局制御部１０６によって制御される共通部１１９及び第２の系統１２０の動作を示すフローチャートである。
【０２９５】
図２９に示すフローチャートは、デジタル放送受信装置の電源がＯＮされることにより処理を開始する。選局制御部１０６は、スキャンを繰り返し実行する（Ｓ２７０１）。スキャンの処理の詳細は、実施の形態１で説明したとおりである。
【０２９６】
実施の形態１乃至１１のデジタル放送受信装置では、スキャン実行中にユーザはデジタル放送を視聴することができない。これに対し、この実施の形態１２のデジタル放送受信装置では、ユーザが第１の系統１８を用いてデジタル放送を視聴している間に、第２の系統１９を用いてスキャンを実行することができる。そのため、スキャン実行中もユーザはデジタル放送を視聴することができる。
【０２９７】
本発明は、受信できるデジタル放送が頻繁に変化し、その度にスキャンを実行しチャンネル情報を取得し直す必要のある、車両または携帯端末装置などの移動体に搭載されるデジタル放送受信装置に対して特に有効である。
【符号の説明】
【０２９８】
１０１  アンテナ部（第１のアンテナ部）、  １０２  チューナ部（第１のチューナ部）、  １０３  ストリーム処理部、  １０４  映像音声出力部、  １０５  ユーザ指示受信部、  １０６  選局制御部、  １０７  チャンネル情報記憶部、  １０８  受信強度記憶部、  １０９  位置情報取得部、  １１０  位置情報記憶部、  １１１  走行距離計、  １１２  走行距離記憶部、  １１３  時刻管理部、  １１４  時刻記憶部、  １１５  第２のアンテナ部、  １１６  第２のチューナ部、  １１７  デマルチプレクス部、  １１８  第１の系統、  １１９  共通部、  １２０  第２の系統。
【図１】
2011049748.tif 000003
【図２】
2011049748.tif 000004
【図３】
2011049748.tif 000005
【図４】
2011049748.tif 000006
【図５】
2011049748.tif 000007
【図６】
2011049748.tif 000008
【図７】
2011049748.tif 000009
【図８】
2011049748.tif 000010
【図９】
2011049748.tif 000011
【図１０】
2011049748.tif 000012
【図１１】
2011049748.tif 000013
【図１２】
2011049748.tif 000014
【図１３】
2011049748.tif 000015
【図１４】
2011049748.tif 000016
【図１５】
2011049748.tif 000017
【図１６】
2011049748.tif 000018
【図１７】
2011049748.tif 000019
【図１８】
2011049748.tif 000020
【図１９】
2011049748.tif 000021
【図２０】
2011049748.tif 000022
【図２１】
2011049748.tif 000023
【図２２】
2011049748.tif 000024
【図２３】
2011049748.tif 000025
【図２４】
2011049748.tif 000026
【図２５】
2011049748.tif 000027
【図２６】
2011049748.tif 000028
【図２７】
2011049748.tif 000029
【図２８】
2011049748.tif 000030
【図２９】
2011049748.tif 000031